(57)【要約】【課題】一のメディアに対し、用途の異なる複数種類のクリース（筋付け）処理を行う場合がある。従来、クリースの用途に応じて、自動的にクリース圧を切り替える仕組みがないため、オペレータは、クリース処理を行う毎に、クリース圧を設定する必要があった。【解決手段】メディアにクリース用の刃を押し付けることでクリースを施すクリース装置を制御する制御装置であって、メディアの種類ごとに、クリースの用途に応じた前記クリース用の刃を押し付ける際の圧力を管理する管理手段と、メディアに施されるクリースそれぞれに対し、当該メディアの種類およびクリースの用途に応じた圧力を前記管理手段から選択する選択手段と、前記メディアに施されるクリースそれぞれに対して前記選択手段にて選択された圧力により、前記クリース装置にクリースを施させる制御手段とを有する。【選択図】  図１３
2018127003.tif 000002
【特許請求の範囲】
【請求項１】
メディアにクリース用の刃を押し付けることでクリースを施すクリース装置を制御する制御装置であって、
メディアの種類ごとに、クリースの用途に応じた前記クリース用の刃を押し付ける際の圧力を管理する管理手段と、
メディアに施されるクリースそれぞれに対し、当該メディアの種類およびクリースの用途に応じた圧力を前記管理手段から選択する選択手段と、
前記メディアに施されるクリースそれぞれに対して前記選択手段にて選択された圧力により、前記クリース装置にクリースを施させる制御手段と
を有することを特徴とする制御装置。
【請求項２】
クリースの設定を受け付ける受付手段を更に有し、
前記クリースの設定は、クリースの位置、クリースの用途、クリースを施すメディアの種類を含むことを特徴とする請求項１に記載の制御装置。
【請求項３】
前記受付手段は、製本を構成する複数のメディアそれぞれに対応したページごとのクリースの設定を受け付けることを特徴とする請求項２に記載の制御装置。
【請求項４】
前記メディアを含む製本における製本設定および当該メディアにおけるクリースの位置に基づいて、クリースそれぞれの用途を決定する決定手段を更に有することを特徴とする請求項１に記載の制御装置。
【請求項５】
前記クリースの用途は、製本における折り返し用クリースと、背の角用クリースとを含み、
前記折り返し用クリースに対する圧力は、前記背の角用クリースに対する圧力よりも大きいことを特徴とする請求項１乃至４のいずれか一項に記載の制御装置。
【請求項６】
前記メディアに対し、両面印刷が行われ、かつ、両面それぞれへのクリースが設定されている場合、前記制御手段は、前記メディアの一方の面へのクリースの設定を破棄するように制御することを特徴とする請求項１に記載の制御装置。
【請求項７】
前記メディアに対し、両面印刷が行われ、かつ、両面それぞれへのクリースが設定されている場合、前記制御手段は、前記メディアの両面それぞれへのクリースの設定を一方の面に統合するように制御することを特徴とする請求項１に記載の制御装置。
【請求項８】
前記クリース装置は、クリースを施す際の圧力に対応するクリース用の刃を入れ替えて装着でき、
前記制御装置は、
前記クリース装置が装着しているクリース用の刃の情報を取得する取得手段と、
前記取得手段にて取得した情報に基づいて、前記選択手段にて選択した圧力に対応するクリース用の刃が前記クリース装置に装着されているか否かを判定し、装着されていない場合にその旨のメッセージを表示する表示手段と
を更に有することを特徴とする請求項１乃至７のいずれか一項に記載の制御装置。
【請求項９】
前記クリース装置は、複数種類のクリース用の刃を装着できることを特徴とする請求項８に記載の制御装置。
【請求項１０】
メディアにクリース用の刃を押し付けることでクリースを施すクリース装置と、当該クリース装置を制御する制御装置とを含むシステムであって、
前記制御装置は、
メディアの種類ごとに、クリースの用途に応じた前記クリース用の刃を押し付ける際の圧力を管理する管理手段と、
メディアに施されるクリースそれぞれに対し、当該メディアの種類およびクリースの用途に応じた圧力を前記管理手段から選択する選択手段と、
前記メディアに施されるクリースそれぞれに対して前記選択手段にて選択された圧力により、前記クリース装置にクリースを施させる制御手段と
を有することを特徴とするシステム。
【請求項１１】
メディアにクリース用の刃を押し付けることでクリースを施すクリース装置を制御する制御装置の制御方法であって、
メディアの種類ごとに、クリースの用途に応じた前記クリース用の刃を押し付ける際の圧力を記憶部にて管理する管理工程と、
メディアに施されるクリースそれぞれに対し、当該メディアの種類およびクリースの用途に応じた圧力を前記記憶部にて管理された圧力の中から選択する選択工程と、
前記メディアに施されるクリースそれぞれに対して前記選択工程にて選択された圧力により、前記クリース装置にクリースを施させる制御工程と
を有することを特徴とする制御方法。
【請求項１２】
メディアにクリース用の刃を押し付けることでクリースを施すクリース装置を制御するコンピュータを、
メディアの種類ごとに、クリースの用途に応じた前記クリース用の刃を押し付ける際の圧力を管理する管理手段、
メディアに施されるクリースそれぞれに対し、当該メディアの種類およびクリースの用途に応じた圧力を前記管理手段から選択する選択手段、
前記メディアに施されるクリースそれぞれに対して前記選択手段にて選択された圧力により、前記クリース装置にクリースを施させる制御手段
として機能させるためのプログラム。
【発明の詳細な説明】
【技術分野】
【０００１】
本発明は、制御装置及びその制御方法、システム、並びにプログラムに関し、特にクリース（筋付け）を行う場合、クリース用途に応じた圧力でクリースを施す方法に関する。
【背景技術】
【０００２】
近年、デジタル複合機等の画像形成装置を使用して、くるみ製本などの製本印刷物や、折り処理を行う印刷用紙（以後、「メディア」と表記）にクリース（筋付け）処理を施すケースが増えている。クリースとは、メディアに対して、折り処理を施す前に、折り筋を入れる処理である。例えば、くるみ製本の場合、くるみ製本の背の角にクリースを施すことで、背の角の折り目を綺麗に見せることができ、製本印刷物の品位を高めることができる。以後、折り位置に施すクリースを「背の角用クリース（折り目用クリース）」と表記する。
【０００３】
また、クリースは、利用者に折り込みを入れて欲しい位置に、予め折り筋を付ける用途でも利用される。例えば、くるみ製本の場合、表紙に紙厚の大きいメディアを利用することが多いため、表紙に折り筋を予め付けておくことで、利用者が表紙を開きやすくなる。さらに、くるみ製本において、表紙と中紙を糊付けしている場合には、表紙を開いた時に、糊付け位置に力が加わってしまい、表紙が剥がれ易くなることがある。そこで、クリースを糊付け位置から離れた場所に入れることで、利用者が表紙を開いても、糊付け位置に力をかけないで済むという利点がある。以後、利用者に折り込みを入れて欲しい位置に施すクリースを、「折り返し用クリース」と表記する。
【０００４】
「背の角用クリース（折り目用クリース）」と「折り返し用クリース」は、１枚のメディアに対して施すクリース（筋付け）処理であるが、それぞれを形成する際にクリース用の刃を押し付ける適切な圧力は異なる。例えば、くるみ製本の表紙として、坪量が２５０ｇｓｍ〜３００ｇｓｍの用紙を利用する場合、利用者が容易に折り返せるように、強く折り目を付けた方が良く、「折り返し用クリース」の圧力としては１４０Ｋｇｆ程度が好ましい。一方、「背の角用クリース（折り目用クリース）」は、折り処理の前に、折り位置に予め筋を入れることで、折り品位の向上を目的としている。このとき、「背の角用クリース（折り目用クリース）」は、「折り返し用クリース」と同じ圧力で折り目を付けると、クリースによる筋跡が強く残るため、折り品位の面で好ましくない。そのため、「折り返し用クリース」の圧力は、７０〜１２０Ｋｇｆ程度の「折り返し用クリース」の圧力よりも低い圧力が望ましい。
【先行技術文献】
【特許文献】
【０００５】
【特許文献１】特開２０１２−１２６４７２号公報
【発明の概要】
【発明が解決しようとする課題】
【０００６】
特許文献１の方法では、クリースの対象となるメディアに対して、対象メディアの用紙情報に基づいて、クリース処理を行う駆動手段の加圧力を調整することで、メディアに応じた加圧力でクリースを行う。ここで、特許文献１の方法は、メディアの用紙情報に基づいてクリースを施すものであり、メディアに応じた圧力で、クリース処理を行うことが可能である。
【０００７】
しかしながら、特許文献１では、同一のメディアに対しては同じ圧力でクリース処理を行う。そのため、同一メディアに複数回のクリースを行うような場合に、「背の角用クリース（折り目用クリース）」や「折り返し用クリース」と言ったクリース用途に応じて、圧力を制御できるものではない。
【０００８】
本発明は、上記の問題に鑑みなされたものであり、クリース用途に応じた圧力でクリースを実施することで、同一メディアであっても、クリース用途毎にクリース圧を変えることができる方法を提供することを目的とする。
【課題を解決するための手段】
【０００９】
上記課題を解決するために、本発明は以下の構成を有する。すなわち、メディアにクリース用の刃を押し付けることでクリースを施すクリース装置を制御する制御装置であって、メディアの種類ごとに、クリースの用途に応じた前記クリース用の刃を押し付ける際の圧力を管理する管理手段と、メディアに施されるクリースそれぞれに対し、当該メディアの種類およびクリースの用途に応じた圧力を前記管理手段から選択する選択手段と、前記メディアに施されるクリースそれぞれに対して前記選択手段にて選択された圧力により、前記クリース装置にクリースを施させる制御手段とを有する。
【発明の効果】
【００１０】
本発明により、１のメディア内において、用途に応じたクリースを施すことが可能となる。
【図面の簡単な説明】
【００１１】
【図１】システム及び画像形成装置の構成例を示す図。
【図２】外部給紙装置及び画像形成装置本体の断面図。
【図３】画像形成装置本体及びインサータの断面図。
【図４】第一の実施形態に係るクリーサ装置（筋付け装置）の断面図。
【図５】折り機の断面とメディアの形成形状を説明するための図
【図６】くるみ製本機及びフィニッシャ装置の断面図。
【図７】画像形成装置、クリーサ装置、及び情報処理装置のハードウェア構成の例の図。
【図８】画像形成装置と情報処理装置のソフトウェア構成の例の図。
【図９】ジョブ設定画面の例を示す図。
【図１０】くるみ製本の折り返し位置と表紙に対するクリース位置の関係を示す図。
【図１１】クリース圧の管理テーブルの構成例を示す図。
【図１２】第一の実施形態に係る画像処理装置の処理を示すフローチャート。
【図１３】第一の実施形態に係る画像形成装置の処理を示すフローチャート。
【図１４】第二の実施形態に係るジョブ設定画面（クリース）の例を示す図。
【図１５】第二の実施形態に係る画像処理装置の処理を示すフローチャート。
【図１６】第二の実施形態に係る画像形成装置の処理を示すフローチャート。
【図１７】第三の実施形態に係るクリーサ装置（筋付け装置）の断面図。
【図１８】第三の実施形態に係る表示メッセージの例を示す図。
【図１９】第三の実施形態に係る画像形成装置の処理を示すフローチャート。
【図２０】第四の実施形態に係るクリーサ装置（筋付け装置）の断面図。
【図２１】第四の実施形態に係る表示メッセージの例を示す図。
【図２２】第四の実施形態に係る画像形成装置の処理を示すフローチャート。
【発明を実施するための形態】
【００１２】
以下、本発明を実施するための形態について図面を用いて説明する。なお、以下の実施の形態は特許請求の範囲に係る発明を限定するものではない。
【００１３】
［システム構成］
図を用いて本実施の形態における、画像形成システムの構成例について説明する。
【００１４】
図１（Ａ）に示す画像形成システムは、画像形成装置１０１、画像処理装置１０２、情報処理装置１０３、及びネットワーク１０４を含んで構成される。情報処理装置１０３は、オペレータが印刷ジョブ設定などの処理を行うための装置である。画像処理装置１０２は、印刷ジョブの生成、ジョブ管理、及びＲＩＰ（Ｒａｓｔｅｒ  Ｉｍａｇｅ  Ｐｒｏｃｅｓｓｉｎｇ）や面付けなどの処理を行い、画像形成装置１０１を使って印刷を行う役割を担う。ネットワーク１０４は、画像形成装置１０１、画像処理装置１０２、及び情報処理装置１０３を互いに通信可能に接続する。
【００１５】
図１（Ｂ）は、画像形成装置１０１の構成例を示す図である。ここでは、画像形成装置１０１は、外部給紙装置２０１、外部給紙装置２０２、画像形成装置本体２０３、インサータ装置２０４、クリーサ装置２０５、折り機２０６、くるみ製本機２０７、及びフィニッシャ装置２０８により構成される。
【００１６】
外部給紙装置２０１、２０２は、大量のメディアを画像形成装置本体２０３に提供する。画像形成装置本体２０３は印刷装置であり、外部給紙装置２０１、２０２、及び画像形成装置本体２０３に付属する給紙トレイから給紙したメディアに印刷を行う。インサータ装置２０４は、画像形成装置本体２０３を経由せずに、メディアをクリーサ装置２０５、折り機２０６、くるみ製本機２０７、フィニッシャ装置２０８に搬送する。例えば、インサータ装置２０４は、画像形成装置本体２０３にて、一度、印刷を実施されたプレプリント紙などを利用してくるみ製本などの成果物を形成する場合に用いられる。クリーサ装置２０５は、メディアにクリースを施す。折り機２０６は、Ｚ折りなど、メディアに折り形成処理を行う。ここでの折り方法については特に限定するものではない。くるみ製本機２０７は、くるみ製本を生成するための装置である。フィニッシャ装置２０８は、パンチやステイプルなどのフィニッシング処理や、中綴じ製本を生成する。
【００１７】
図２（Ａ）は、外部給紙装置２０１、２０２の断面図である。ストレートパス３０７は、給紙トレイ３０１、３０２、３０３、及び上流側に接続された装置から搬送されてきたメディアを下流側へ搬送するパスである。本実施形態においては、外部給紙装置２０２は、上流側に外部給紙装置２０１、下流側に画像形成装置本体２０３が配置されている。そのため、外部給紙装置２０２は、ストレートパス３０７を通じて、給紙トレイ３０１、３０２、３０３に積載されているメディア、及び外部給紙装置２０１から搬送されてきたメディアを画像形成装置本体２０３へ搬送する。
【００１８】
給紙トレイ３０１、３０２、３０３は、メディアを給紙するトレイである。リフトアップモータ（不図示）を使って、給紙トレイ下部をリフトアップすることで、給紙されたメディアを給紙モータ３０４、３０５、３０６に接触させることができる。この仕組みにより、メディア量に関係なく給紙を行うことが可能となる。給紙モータ３０４、３０５、３０６はそれぞれ、給紙トレイ３０１、３０２、３０３に積載されているメディアを１枚単位で引き出すモータである。給紙トレイ３０１、３０２、３０３に積載されているメディアはそれぞれ、給紙モータ３０４、３０５、３０６により搬送経路に送り出されることで、ストレートパス３０７まで搬送される。
【００１９】
図２（Ｂ）、図３（Ａ）は、画像形成装置本体２０３の断面図である。図２（Ｂ）は、画像形成装置本体２０３の上流側の構成であり、図３（Ａ）は、画像形成装置本体２０３の下流側の構成である。ここで、上流側とは、外部給紙装置２０２と接続される側を示し、下流側とは、インサータ装置２０４と接続される側を示す。
【００２０】
給紙トレイ４０１、４０２は、メディアを給紙するトレイである。リフトアップモータ（不図示）を使って、給紙トレイ下部をリフトアップすることで、給紙されたメディアを給紙モータ４０３、４０４に接触させることができる。この仕組みにより、メディア量に関係なく給紙を行うことが可能となる。給紙モータ４０３、４０４はそれぞれ、給紙トレイ４０１、４０２に積載されているメディアを１枚単位で引き出すモータである。給紙トレイ４０１、４０２に積載されているメディアはそれぞれ、給紙モータ４０３、４０４により搬送経路に送り出されることで、搬送パス４１１まで搬送される。搬送パス４１２は、二次転写位置４１０まで、メディアを搬送するパスである。また、搬送パス４１２は、外部給紙装置２０２のストレートパスと接続されている。そのため、搬送パス４１２には、搬送パス４１１から搬送されてきたメディア、及び外部給紙装置２０２のストレートパス３０７を搬送されてきたメディアが搬送される。
【００２１】
現像ユニット４０５、４０６、４０７、４０８はそれぞれ、画像を形成するための現像ユニットであり、Ｙ、Ｍ、Ｃ、Ｋの４色のステーションから構成されている。ここで形成された画像は、図２（Ｂ）中、時計回りに回転している中間転写ベルト４０９に一次転写され、二次転写位置４１０にて搬送パス４１２に搬送されてきたメディアに画像が転写される。
【００２２】
画像が転写されたメディアは、図３（Ａ）に示す画像形成装置本体２０３の下流側における搬送パス４１２を通じて、第一定着部４１３まで搬送される。第一定着部４１３では、画像が転写されたメディアに対して加熱、加圧を施すことにより、転写された画像をメディアに定着させる。
【００２３】
フラッパ４１５は、第一定着部４１３を通過したメディアを、搬送パス４１６もしくは搬送パス４１７に振り分ける。フラッパ４１５は、揺動軸を中心に揺動可能に構成され、メディアの搬送方向を規定する。フラッパ４１５が、図３（Ａ）中、時計回りの方向に揺動された場合、メディアは搬送パス４１７に搬送され、図３（Ａ）中、反時計回りの方向に揺動された場合、メディアは搬送パス４１６に搬送される。第一定着部４１３を通過したメディアが、搬送パス４１６、もしくは搬送パス４１７のどちらを搬送されるかは、メディアの種類（坪量の大きさなど）などの条件によって決定される。再度定着が必要であると判定された場合、メディアは、搬送パス４１７に搬送され、再度定着が不要であると判定された場合、メディアは、搬送パス４１６に搬送される。第二定着部４１４は、搬送パス４１７に搬送されてきたメディアに対して、加熱、加圧を施す。
【００２４】
排紙フラッパ４１８は、搬送パス４１６もしくは搬送パス４１７から搬送されてきたメディアを、インサータ装置２０４もしくは搬送パス４１９に搬送する。排紙フラッパ４１８は、揺動軸を中心に揺動可能に構成され、メディアの搬送方向を規定する。排紙フラッパ４１８が、図３（Ａ）中、時計回りの方向に揺動された場合、メディアはインサータ装置２０４に搬送され、図３（Ａ）中、反時計回りの方向に揺動された場合、メディアは搬送パス４１９に搬送される。
【００２５】
搬送パス４１９に搬送されたメディアは、反転パス４２０に搬送される。そして、スイッチバック処理により、メディアの搬送方向が１８０度変更される。フラッパ４２１は、揺動軸を中心に揺動可能に構成され、メディアの搬送方向を規定する。フラッパ４２１が、図３（Ａ）中、時計回りの方向に揺動されると、反転パス４２０から搬送されてきたメディアは、搬送パス４２２に搬送される。搬送パス４２２は、図２（Ｂ）に示す画像形成装置本体２０３の上流側における搬送パス４１１へ通じている。つまり、反転パス４２０でメディアを反転するので、第一定着部４１３及び第二定着部４１４を通過する際のメディアの印刷面が表裏逆転する。この仕組みにより、画像形成装置本体２０３は両面印刷を実施する。
【００２６】
フラッパ４２１が、図３（Ａ）中、反時計回り方向に揺動された場合、メディアは搬送パス４１９を通過する。そして、排紙フラッパ４１８が、図３（Ａ）中、反時計回り方向に揺動され、メディアは、インサータ装置２０４に搬送される。つまり、反転パス４２０でメディアを反転しているので、定着画像を下向きにした状態で、メディアをインサータ装置２０４に搬送可能となる。なお、定着画像を上向きにした状態で、メディアをインサータ装置２０４に搬送する場合は、反転パス４２０を使わないことで実現できる。
【００２７】
自動原稿搬送装置（ＡＤＦ：Ａｕｔｏ  Ｄｏｃｕｍｅｎｔ  Ｆｅｅｄｅｒ）４２３は、原稿トレイの積載面にセットされた原稿束を１頁目の原稿から、ページ順に、順番に分離して、スキャナ４２４によって原稿走査するためのドキュメントフィーダである。スキャナ４２４は、自動原稿搬送装置４２３から搬送された原稿に光源（不図示）を照射し、ＣＣＤ（不図示）にて原稿画像を読み込む。読み込まれた原稿画像は、画像処理を施され、図２（Ｂ）に示す現像ユニット４０５〜４０８を用いてコピー動作が実施される。
【００２８】
操作パネル４２５は、画像形成装置本体２０３に付属の操作用パネルであり、画像形成装置１０１への設定やコピー動作の開始を行うために利用される。
【００２９】
図３（Ｂ）は、インサータ装置２０４の断面図である。ストレートパス５０１は、上流側から搬送されてきたメディアを下流側へ搬送するパスである。本実施形態においては、インサータ装置２０４は、画像形成装置本体２０３から受け取ったメディアを、ストレートパス５０１を通して、クリーサ装置２０５へ搬送する。
【００３０】
搬送パス５０２は、インサータトレイ５０３に給紙されたメディアをストレートパス５０１に搬送するための搬送パスである。インサータトレイ５０３は、画像形成装置本体２０３で印刷処理をしないメディアを、クリーサ装置２０５、折り機２０６、くるみ製本機２０７、フィニッシャ装置２０８に給紙するためのトレイである。用紙検知センサ５０４は、インサータトレイ５０３に、メディアが給紙されたか否を検知するセンサである。また、インサータ装置２０４は、搬送ローラを備えており、インサータトレイ５０３に給紙されたメディアを、搬送パス５０２からストレートパス５０１に搬送する。そして、ストレートパス５０１を経由することで、メディアを下流側へ搬送する。
【００３１】
図４は、クリーサ装置２０５の断面図である。ストレートパス６０１は、上流側から搬送されてきたメディアを下流側へ搬送するパスである。本実施形態においては、クリーサ装置２０５は、インサータ装置２０４から受け取ったメディアを、ストレートパス６０１を通して、折り機２０６へ搬送する。
【００３２】
搬送パス６０２は、クリース処理を行うメディアを搬送するための搬送パスである。フラッパ６０３は、インサータ装置２０４から搬送されてきたメディアを、ストレートパス６０１もしくは搬送パス６０２に振り分ける。フラッパ６０３は、揺動軸を中心に揺動可能に構成され、メディアの搬送方向を規定する。フラッパ６０３が、図４中、時計回りの方向に揺動された場合、メディアはストレートパス６０１に搬送され、図４中、反時計回りの方向に揺動された場合、メディアは搬送パス６０２に搬送される。
【００３３】
クリース用ダイ６０４は、メディアにクリース処理を施すためのダイであり、クリース（筋付け）を施すためのクリース刃６０５を有している。なお、クリース用ダイ６０４は、クリーサ装置２０５に着脱可能であり、センサ（不図示）により、クリース用ダイ６０４が、クリーサ装置２０５に装着されているか否かを検知可能である。さらに、センサ（不図示）により、装着されているダイの種類を一意に認識可能である。圧力装置６０６、６０７、６０８は、クリース用ダイ６０４に圧力を加えるための装置である。土台６０９は、クリース刃６０５を受けるための土台である。搬送速度制御ユニット６１０は、メディアの搬送速度を規定の速度に制御し、その内部にメディアの搬送速度を検知するためのセンサ（不図示）を有している。検知センサ６１１は、搬送されているメディアの先端を検知するためのセンサである。
【００３４】
クリーサ装置２０５にてメディアに対してクリースを施す場合、以下の動作を行うことで実現する。まず、搬送速度制御ユニット６１０は、メディアの搬送速度を検知するセンサ（不図示）の検知結果から、搬送パス６０２を通過するメディアの搬送速度を規定の速度になるように、加速もしくは減速する。そして、規定の速度で搬送されているメディアの先端が、検知センサ６１１で検知されると、圧力装置６０６〜６０８は、クリース用ダイ６０４に対して、図４中、上方から下方に向かって圧力を加える。なお、圧力装置６０６〜６０８は、任意の装置のみの動作、もしくは、複数の連動動作が可能であり、クリース用ダイ６０４に加える圧力を制御できる。
【００３５】
圧力装置６０６〜６０８にて、クリース用ダイ６０４に加えられた圧力は、クリース刃６０５に伝えられる。そして、クリース刃６０５は、図４中、上方から下方へ移動し、クリース刃６０５と土台６０９で、メディアを挟むことでクリース（筋付け）を実現する。なお、クリーサ装置２０５は、メディアの搬送方向の任意の位置にクリースを施すことが可能である。具体的には、以下の制御を行うことで実現する。
【００３６】
搬送パス５０２を搬送されているメディアは、搬送速度制御ユニット６１０により、規定の搬送速度に制御される。また、クリース刃６０５にてクリースを行うタイミングは、検知センサ６１１とクリース刃６０５の距離に、クリース位置（メディア先端からの距離）を足し合わせた値を、既定の搬送速度で割り算を行うことで計算できる。つまり、検知センサ６１１にて、メディアの先端が検知されたタイミングを基準として、計算したタイミングで、クリース刃６０５をメディアに接地させるように、圧力装置６０６〜６０８を駆動する。
【００３７】
図５（Ａ）は、折り機２０６の断面図である。ストレートパス７０１は、上流側から搬送されてきたメディアを下流側へ搬送するパスである。本実施形態においては、折り機２０６は、クリーサ装置２０５から受け取ったメディアを、ストレートパス７０１を通して、くるみ製本機２０７へ搬送する。搬送パス７０２は、折り処理を行うメディアを搬送するための搬送パスである。
【００３８】
フラッパ７０３は、クリーサ装置２０５から搬送されてきたメディアを、ストレートパス７０１、もしくは搬送パス７０２に振り分ける。フラッパ７０３は、揺動軸を中心に揺動可能に構成され、メディアの搬送方向を規定する。フラッパ７０３が、図５（Ａ）中、時計回りの方向に揺動された場合、メディアはストレートパス７０１に搬送され、図５（Ａ）中、反時計回りの方向に揺動された場合、メディアは搬送パス７０２に搬送される。搬送速度制御ユニット７０４は、メディアの搬送速度を規定の速度に制御するユニットであり、ユニット内部にメディアの搬送速度を検知するためのセンサ（不図示）を有する。
【００３９】
突き当てストッパ７０５は、Ｃ折り形成時に使用する突き当てストッパである。突き当てストッパ７０５は、モータ（不図示）により駆動可能であり、図７（Ａ）中、反時計回りに０〜９０度までの回転運動と搬送パス７０２に沿った上下移動を行うことができる。まず、回転運動の仕組みにより、突き当てストッパ７０５を図７（Ａ）中の位置に留めておくことで、搬送パス７０２において、メディアを上から下に搬送できる。また、突き当てストッパ７０５を反時計回りに９０度回転させると、搬送パス７０２を塞ぐ事ができる。つまり、突き当てストッパ７０５は、搬送パス７０２を搬送されているメディアの突き当てストッパとして機能することになる。さらに、搬送パス７０２に沿った上下運動の仕組みにより、突き当てストッパ７０５から折りローラ７１０と折りローラ７１１の間までの長さを調整可能である。
【００４０】
搬送ローラ対７０６は、搬送パス７０２を搬送されているメディアを、上方向もしくは下方向に搬送するための搬送ローラ対である。搬送ローラ対７０６は、その回転方向を制御可能となっており、メディアを上方から下方へ向かって押し出す方向に搬送ローラ対７０６を回転させることが可能である。また、メディアを下方から上方へ向かって押し出す方向に搬送ローラ対７０６を回転させることも可能である。
【００４１】
搬送パス７０７は、折り形成時、メディアを引き込むための搬送パスである。レジストローラ対７０８は、搬送パス７０２から搬送パス７０７へ搬送されてきたメディアを、一旦停止をさせるためのローラ対である。さらに、レジストローラ対７０８は、一旦停止させたメディアを上方向もしくは下方向に搬送することも可能である。レジストローラ対７０８は、その回転方向を制御可能となっており、メディアを上方から下方へ向かって押し出す方向にレジストローラ対７０８を回転させることが可能である。また、メディアを下方から上方へ向かって押し出す方向にレジストローラ対７０８を回転させることも可能である。
【００４２】
メディア検知センサ７０９は、レジストローラ対７０８にて、一旦停止させたメディアの先端を検知する為のセンサである。折りローラ７１０〜７１２は、折り形成に使用するローラである。折りローラ７１０〜７１２は、常に同時に駆動する。その際、折りローラ７１０は、図５（Ａ）中、反時計回りに回転し、折りローラ７１１は、図５（Ａ）中、時計回りに回転し、折りローラ７１２は、図５（Ａ）中、反時計回りに回転する。
【００４３】
先端押さえガイド７１３は、２つ折り形成時に使用するガイドである。先端押さえガイド７１３は、搬送パス７１４にメディアを通さず、折りローラ７１０と折りローラ７１１から引き込まれてきたメディアを、搬送パス７１６へガイドするのに用いられる。先端押さえガイド７１３は、モータ（不図示）により駆動可能であり、折りローラ７１１から引き込まれてきたメディアを、搬送パス７１６へガイドしない場合は、図５（Ａ）中の位置から退避される。つまり、先端押さえガイド７１３を退避すると、折りローラ７１０と折りローラ７１１から引き込まれてきたメディアは、搬送パス７１４に引き込まれる。
【００４４】
搬送パス７１４は、折り形成時、メディアを引き込むための搬送パスである。搬送パス７１４は、突き当てストッパ７１５により、メディアを引き込む長さを調整可能とするため、図５（Ａ）中、上方に近い部分は、弧形状となっている。突き当てストッパ７１５は、Ｚ折り、外三つ折り、四つ折り、Ｃ折り形成時に使用する突き当てストッパである。突き当てストッパ７１５は、モータ（不図示）により駆動可能であり、搬送パス７１４に沿って回転運動を行うことができる。つまり、突き当てストッパ７１５の位置を調整することで、搬送パス７１４に引き込む長さを調整可能となっている。
【００４５】
搬送パス７１６は、折りローラ７１０〜７１２を通過したメディアを搬送するためのパスである。搬送パス７１６を通過した時点で、メディアに対する折り形成処理は完了している。排出部７１７は、Ｃ折り形成もしくは四つ折り形成されたメディアを排出するためのものである。搬送パス７１８は、折り形成されたメディアをストレートパス７０１に搬送するためのものである。
【００４６】
フラッパ７１９は、搬送パス７１６を搬送されているメディアを、排出部７１７もしくは搬送パス７１８に振り分ける。フラッパ７１９は、揺動軸を中心に揺動可能に構成され、メディアの搬送方向を規定する。フラッパ７１９が、図５（Ａ）中、時計回りの方向に揺動された場合、メディアは搬送パス７１８に搬送され、図５（Ａ）中、反時計回りの方向に揺動された場合、メディアは排出部７１７に排出される。
【００４７】
次に、形状毎の折り形成処理について説明する。まず、図５（Ｂ）は、搬送パス７１８を通過するときの折りの形状を示している。また、折り機２０６は、Ｚ折り、外３つ折り、および二つ折りの場合には、メディアをストレートパス７０１に搬送し、四つ折り、およびＣ折りの場合には、メディアを排出部７１７に排出する。
【００４８】
続いて、折り機２０６が、Ｚ折りを形成する場合の説明を行う。ストレートパス７０１を搬送されているメディアは、フラッパ７０３により、搬送パス７０２に搬送される。そして、搬送速度制御ユニット７０４は、メディアの搬送速度を既定の速度に制御する。このとき、突き当てストッパ７０５は、図５（Ａ）中の位置に存在する。そのため、メディアは、搬送パス７０２を搬送されて、レジストローラ対７０８により一旦停止されるまで移動する。レジストローラ対７０８により、一旦停止されたメディアは、メディア検知センサ７０９により、メディアの先端位置を検知される。そして、レジストローラ対７０８により、メディアは搬送パス７０７へ引き込まれる。このとき、引き込まれたメディアの先端から折りローラ７１０と折りローラ７１１の間までの長さが、メディア長の１／４になるように制御される。
【００４９】
レジストローラ対７０８が、上記の位置でメディアを停止しつつ、搬送ローラ対７０６を、メディアを下向きに搬送するように制御し続けると、折りローラ７１０と折りローラ７１１の間にメディアのループが形成される。そして、そのループ部分を折りローラ７１０と折りローラ７１１が引き込むことで、メディアの先端から１／４部分で折られたメディアが形成される。
【００５０】
Ｚ折り時は、先端押さえガイド７１３が退避されるように制御されているため、メディアは搬送パス７１４に引き込まれる。そして、この時、突き当てストッパ７１５は、折りローラ７１１と折りローラ７１２の間までの長さが、メディア長の１／４になるように制御される。そのため、折りローラ７１０と折りローラ７１１により、搬送パス７１４に引き込まれたメディアは、メディアの中央部分にループを形成することになる。そして、そのループ部分を折りローラ７１１と折りローラ７１２が引き込むことで、Ｚ折りを形成したメディアが、搬送パス７１６に搬送される。その後、フラッパ７１９は、メディアを搬送パス７１８に搬送するように制御され、Ｚ折りされたメディアは、ストレートパス７０１へ搬送される。
【００５１】
続いて、折り機２０６が、外３つ折りを形成する場合の説明を行う。折り機２０６が、外３つ折りを形成する場合は、Ｚ折り形成とほぼ同様である。搬送パス７０７と搬送パス７１４に引き込むメディアの長さを、メディア長さの１／３にすることで、外３つ折りを形成できる。外３つ折りの形成プロセスは、Ｚ折りの形成プロセスとほぼ同様であるので、説明は省略する。
【００５２】
続いて、折り機２０６が、２つ折りを形成する場合の説明を行う。ストレートパス７０１を搬送されているメディアは、フラッパ７０３により、搬送パス７０２に搬送される。そして、搬送速度制御ユニット７０４は、メディアの搬送速度を既定の速度に制御する。このとき、突き当てストッパ７０５は、図５（Ａ）中の位置に存在する。そのため、メディアは、搬送パス７０２を搬送されて、レジストローラ対７０８により一旦停止されるまで移動する。レジストローラ対７０８により、一旦停止されたメディアは、メディア検知センサ７０９により、メディアの先端位置を検知される。そして、レジストローラ対７０８により、メディアは搬送パス７０７へ引き込まれる。このとき、引き込まれたメディアの先端から折りローラ７１０と折りローラ７１１の間までの長さが、メディア長の１／２になるように制御される。
【００５３】
レジストローラ対７０８が、上記の位置でメディアを停止しつつ、搬送ローラ対７０６を、メディアを下向きに搬送するように制御し続けると、折りローラ７１０と折りローラ７１１の間にメディアのループが形成される。そして、そのループ部分を折りローラ７１０と折りローラ７１１が引き込むことで、メディアの先端から１／２部分で折られたメディアが形成される。
【００５４】
続いて、２つ折り時は、先端押さえガイド７１３が図５（Ａ）中の位置に存在しているため、折りローラ７１０と折りローラ７１１により引き込まれたメディアは、折りローラ７１１と折りローラ７１２により、搬送パス７１６に引き込まれるように搬送される。こうすることで２つ折りを形成したメディアが、搬送パス７１６に搬送される。その後、フラッパ７１９は、メディアを搬送パス７１８に搬送するように制御され、２つ折りされたメディアは、ストレートパス７０１へ搬送される。
【００５５】
続いて、折り機２０６が、４つ折りを形成する場合の説明を行う。ストレートパス７０１を搬送されているメディアは、フラッパ７０３により、搬送パス７０２に搬送される。そして、搬送速度制御ユニット７０４は、メディアの搬送速度を既定の速度に制御する。このとき、突き当てストッパ７０５は、図５（Ａ）中の位置に存在する。そのため、メディアは、搬送パス７０２を搬送されて、レジストローラ対７０８により一旦停止されるまで移動する。レジストローラ対７０８により、一旦停止されたメディアは、メディア検知センサ７０９により、メディアの先端位置を検知される。そして、レジストローラ対７０８により、メディアは搬送パス７０７へ引き込まれる。このとき、引き込まれたメディアの先端から折りローラ７１０と折りローラ７１１の間までの長さが、メディア長の１／２になるように制御される。
【００５６】
レジストローラ対７０８が、上記の位置でメディアを停止しつつ、搬送ローラ対７０６を、メディアを下向きに搬送するように制御し続けると、折りローラ７１０と折りローラ７１１の間にメディアのループが形成される。そして、そのループ部分を折りローラ７１０と折りローラ７１１が引き込むことで、メディアの先端から１／２部分で折られたメディアが形成される。
【００５７】
続いて、４つ折り時は、先端押さえガイド７１３が退避されるように制御されているため、メディアは搬送パス７１４に引き込まれる。そして、この時、突き当てストッパ７１５は、折りローラ７１１と折りローラ７１２の間までの長さが、メディア長の１／４になるように制御される。そのため、折りローラ７１０と折りローラ７１１により、搬送パス７１４に引き込まれたメディアは、メディアの中央部分にループを形成することになる。そして、そのループ部分を折りローラ７１１と折りローラ７１２が引き込むことで、４つ折りを形成したメディアが、搬送パス７１６に搬送される。その後、フラッパ７１９は、メディアを排出部７１７に搬送するように制御され、４つ折りされたメディアは、排出部７１７へ排出される。
【００５８】
続いて、折り機２０６が、Ｃ折りを形成する場合の説明を行う。ストレートパス７０１を搬送されているメディアは、フラッパ７０３により、搬送パス７０２に搬送される。そして、搬送速度制御ユニット７０４は、メディアの搬送速度を既定の速度に制御する。このとき、突き当てストッパ７０５は、図５（Ａ）中の位置に存在する。そのため、メディアは、搬送パス７０２を搬送されて、レジストローラ対７０８により一旦停止されるまで移動する。レジストローラ対７０８により、一旦停止されたメディアは、メディア検知センサ７０９により、メディアの先端位置を検知される。そして、レジストローラ対７０８により、メディアは搬送パス７０７へ引き込まれる。このとき、引き込まれたメディアの先端から折りローラ７１０と折りローラ７１１の間までの長さは、メディア長の２／３以上になるように制御される。
【００５９】
続いて、突き当てストッパ７０５は、図５（Ａ）中、反時計回りに制御される。さらに、突き当てストッパ７０５は、突き当てストッパ７０５から折りローラ７１０と折りローラ７１１の間までの搬送経路上の長さが、メディアの長さの１／３になるように調整される。その後、レジストローラ対７０８が一旦停止したメディアを上向きに搬送するように制御されると、メディアは突き当てストッパ７０５に突き当たり、折りローラ７１０と折りローラ７１１の間にメディアのループが形成される。そして、そのループ部分を折りローラ７１０と折りローラ７１１が引き込むことで、メディアの後端から１／３部分で折られたメディアが形成される。
【００６０】
続いて、Ｃ折り時は、先端押さえガイド７１３が退避されているため、メディアは搬送パス７１４に引き込まれる。そして、この時、突き当てストッパ７１５は、折りローラ７１１と折りローラ７１２の間までの長さが、メディア長の１／３になるように制御される。そのため、折りローラ７１０と折りローラ７１１により、搬送パス７１４に引き込まれたメディアは、メディアの中央部分にループを形成することになる。そして、そのループ部分を折りローラ７１１と折りローラ７１２が引き込むことで、Ｃ折りを形成したメディアが、搬送パス７１６に搬送される。その後、フラッパ７１９は、メディアを排出部７１７に搬送するように制御され、Ｃ折りされたメディアは、排出部７１７へ排出される。
【００６１】
図６（Ａ）は、くるみ製本機２０７の断面図である。ストレートパス８０１は、上流側から搬送されてきたメディアを下流側へ搬送するパスである。本実施形態においては、くるみ製本機２０７は、折り機２０６から受け取ったメディアを、ストレートパス８０１を通してフィニッシャ装置２０８へ搬送する。搬送パス８０２は、インサータトレイ８０３、８０４に給紙されたメディアをストレートパス８０１に搬送するための搬送パスである。インサータトレイ８０３、８０４は、印刷済みのメディアを使ってくるみ製本を生成する場合に、印刷済みのメディアを給紙するためのトレイである。
【００６２】
フラッパ８０５は、折り機２０６、インサータトレイ８０３、８０４から搬送されてきたメディアを、ストレートパス８０１もしくは搬送パス８０６に振り分けるものである。フラッパ８０５は、揺動軸を中心に揺動可能に構成され、メディアの搬送方向を規定する。フラッパ８０５が、図６（Ａ）中、時計回りの方向に揺動された場合、メディアはストレートパス８０１に搬送され、図６（Ｂ）中、反時計回りの方向に揺動された場合、メディアは搬送パス８０６に搬送される。搬送速度制御ユニット８０７は、メディアの先端を検知するためのセンサ（不図示）を有しており、そのセンサがメディアの先端を検知してから一定距離搬送した後に、メディアの搬送を停止する機能を有する。
【００６３】
フラッパ８０８は、ストレートパス８０１から搬送されてきたメディアを、ストレートパス８０１もしくは搬送パス８０９に振り分ける。フラッパ８０８は、揺動軸を中心に揺動可能に構成され、メディアの搬送方向を規定する。フラッパ８０８が、図６（Ａ）中、時計回りの方向に揺動された場合、メディアはストレートパス８０１に搬送される。また、フラッパ８０８が、図６（Ａ）中、反時計回りの方向に揺動された場合、メディアは搬送パス８０９に搬送される。搬送パス８０９は、メディアスタックユニット８１０へメディアを搬送するための搬送パスである。
【００６４】
メディアスタックユニット８１０は、くるみ製本の中紙をスタックするためのユニットである。メディアスタックユニット８１０は、正面側が解放されたコの字型になっており、正面側から背面側へ移動する機能を有している。グリッパ対８１１は、メディアスタックユニット８１０にスタックされた中紙束をグリップし、中紙束を糊付けユニット８１２にて糊付けした後、形成ローラ対８１４まで搬送する。糊付けユニット８１２は、くるみ製本の中紙束とくるみ製本の表紙を糊付けするために利用する糊を溶解するユニットである。糊付けユニット８１２は、くるみ製本機２０７の動作中は、溶解された糊をユニット内に溜めており、さらに、正面側から背面側へ移動する機能を有している。
【００６５】
糊付け台８１３は、溶解した糊を付着させた中紙束と表紙を糊付けする際に利用され、正面側から背面側へ移動する機能を有している。形成ローラ対８１４は、糊付けされた中紙束と表紙を、くるみ製本の形状に形成する為のものである。形成ローラ対８１４は、上方から下方に向かって押し出す方向にローラ対を回転させている。そのため、形成ローラ対８１４は、グリッパ対８１１から、糊付けされた中紙束と表紙を受け取り、くるみ製本の背表紙側を下側にして、ガイド８１５に沿って回転台８１８に、形成されたくるみ製本を落とし込む。
【００６６】
ガイド８１５は、形成されたくるみ製本の背表紙側が、幅寄せ部８１６の方向を向くように落とし込むためのガイドである。幅寄せ部８１６は、形成されたくるみ製本を、カッタ８１７で切断するために位置調整を行うための装置である。カッタ８１７は、形成されたくるみ製本の小口及び天地を断裁するためのカッタである。回転台８１８は、形成されたくるみ製本を回転する機能を有し、くるみ製本の小口や天地を断裁する際に、カッタ８１７だけで、小口及び天地を断裁することを可能とする。バスケット部８１９は、断裁されたくるみ製本を溜め置くための保管場所である。
【００６７】
以下、具体的に、くるみ製本を生成するときの動作を説明する。くるみ製本の表紙となるメディアは、フラッパ８０５により、搬送パス８０６へ搬送される。そして、搬送速度制御ユニット８０７により、くるみ製本の表紙となるメディアの中心位置が、くるみ製本の背表紙の中心となる位置で、搬送を停止するように制御される。具体的には、くるみ製本の表紙となるメディアは、糊付け台８１３に配置されることになる。
【００６８】
次に、くるみ製本の中紙となるメディアは、フラッパ８０５によりストレートパス８０１に搬送された後、フラッパ８０８により、搬送パス８０９を経由して、メディアスタックユニット８１０に搬送される。中紙束がすべて揃うと、グリッパ対８１１は、中紙束をグリップし、続いて、メディアスタックユニット８１０は、正面側から背面側へ移動する。このとき、グリッパ対８１１は、メディアスタックユニット８１０のコの字型の空間部分に位置している為、メディアスタックユニット８１０が、背面側に移動することにより、糊付けユニット８１２にまで、中紙束を移動することが可能となる。
【００６９】
グリッパ対８１１は、中紙束の背表紙方向が、下方向になるように回転をしながら、糊付けユニット８１２に移動し、糊付けを行う。そして、糊付けが完了すると、グリッパ対８１１は、一度、中紙束を上方向に移動し、さらに、糊付けユニット８１２を、正面側から背面側へ移動する。糊付けユニット８１２の移動が完了すると、グリッパ対８１１は、下方向に移動し、糊付け台８１３に配置されたくるみ製本の表紙となるメディアに、中紙束を接着させる。接着完了後、糊付け台８１３は、正面側から背面側へ移動し、その移動が完了すると、グリッパ対８１１は下方向に移動し、形成ローラ対８１４にて、くるみ製本の形成を行う。
【００７０】
続いて、形成されたくるみ製本は、形成ローラ対８１４により、ガイド８１５に沿って、下方向に押し出されるため、背表紙側が幅寄せ部８１６に向いた形で、回転台８１８上に配置される。回転台８１８の上に横たわる形成されたくるみ製本は、幅寄せ部８１６で位置を合わせられ、小口となる部分をカッタ８１７で断裁される。次に、回転台８１８が９０度回転して、幅寄せ部８１６で位置合わせを行い、天となる部分を断裁する。さらに、回転台８１８が１８０度回転して、幅寄せ部８１６で位置合わせを行い、地となる部分を断裁する。最後に、断裁されたくるみ製本は、幅寄せ部８１６で図６（Ａ）中、左側に押しやられ、バスケット部８１９に入れられる。
【００７１】
図６（Ｂ）は、フィニッシャ装置２０８の断面図である。搬送パス９０１は、上流側から搬送されてきたメディアをフィニッシャ装置２０８内部へ搬送するパスである。本実施形態においては、フィニッシャ装置２０８は、くるみ製本機２０７から受け取ったメディアを、フィニッシャ装置２０８内部へ搬送する。搬送パス９０２は、インサータトレイ９０３、９０４に給紙されたメディアを搬送パス９０１に搬送するための搬送パスである。インサータトレイ９０３、９０４は、印刷済みのメディアを使って、パンチ、ステイプル、中綴じ製本などの成果物を生成する場合に、印刷済みのメディアを給紙するためのトレイである。
【００７２】
フラッパ９０５は、揺動軸を中心に揺動可能に構成され、搬送パス９０１もしくは搬送パス９０２にて搬送されてきたメディアの搬送方向を規定する。フラッパ９０５が、図６（Ｂ）中、反時計回りの方向に揺動された場合、メディアは搬送パス９０６へ搬送される。また、フラッパ９０５が、図６（Ｂ）中、時計回りの方向に揺動された場合、メディアは搬送パス９０７へ搬送される。フラッパ９０８は、揺動軸を中心に揺動可能に構成され、搬送パス９０７にて搬送されてきたメディアの搬送方向を規定する。フラッパ９０８が、図６（Ｂ）中、反時計回りの方向に揺動された場合、メディアは搬送パス９１０へ搬送される。また、フラッパ９０８が、図６（Ｂ）中、時計回りの方向に揺動された場合、メディアは搬送パス９０９へ搬送される。
【００７３】
搬送パス９０９は、メディアをサンプルトレイ９１１へ搬送するための搬送パスである。また、搬送パス９１０は、メディアをスタックトレイ９１４へ搬送するための搬送パスである。サンプルトレイ９１１は、搬送パス９０９を通過したメディアが排出されるトレイである。搬送パス９１０に搬送されたメディアは、パンチャ９１２、ステープラ９１３を通過し、スタックトレイ９１４に搬送される。パンチャ９１２は、搬送パス９１０を通過するメディアに穴あけ処理を施す装置である。パンチャ９１２は、入れ替え可能な２穴や３穴などの刃（不図示）を有しており、刃を入れ替えることで、メディアに対して任意の数の穴を開けることが可能である。
【００７４】
ステープラ９１３は、搬送パス９１０を通過するメディアをスタックし、ステイプル処理（ホチキス止め処理）を施す装置である。ステープラ９１３は、補充可能な刃（不図示）を有しており、角止め、２カ所止めなど各種ステイプル処理が可能である。スタックトレイ９１４は、搬送パス９１０を通過したメディアが排出されるトレイである。搬送パス９０６は、中綴じ処理を施す場合に、メディアを搬送する搬送パスである。
【００７５】
ストッパ９１５は、搬送パス９０６から搬送されてきたメディアを停止させるためのストッパである。ストッパ９１５は、モータ（不図示）により、ストッパ９１５から折り込みプレート９１６間の長さを調整できる。通常、中綴じ処理を施すメディアの搬送方向の長さの二分の一の長さに設定する。つまり、中綴じ処理は、中綴じ処理を施すメディアの中央に施される。
【００７６】
折り込みプレート９１６は、ストッパ９１５にて停止させたメディアをサドルステッチャ９１７へ押し込むための装置である。サドルステッチャ９１７は、折り込みプレート９１６によって、押し込まれたメディアに対して、ステイプル処理と折り込み処理を施す装置である。ストッパ９１５と折り込みプレート９１６の働きにより、メディアの真ん中が折り込まれて、サドルステッチャ９１７に入ってくる。そのため、サドルステッチャ９１７を通過すると、中綴じ処理を施されたメディアが、スタック部９１８に搬送される。そして、中綴じ処理を施されたメディアは、機外排出ローラ９１９により、スタック部９１８からサドルトレイ９２０へ排出される。ガイド９２１は、中綴じ処理を施されたメディアを留め置き、１冊ずつ順次、サドルスタック部９２２へ送り込む働きを持つ。サドルスタック部９２２は、中綴じ処理を施されたメディアを大量に溜め置くものである。
【００７７】
［ハードウェア構成例］
図７（Ａ）は、画像形成装置１０１のハードウェア構成の例を示すブロック図である。ＣＰＵ回路部１００１は、ＣＰＵ（Ｃｅｎｔｒａｌ  Ｐｒｏｃｅｓｓｉｎｇ  Ｕｎｉｔ）１００２を有し、記憶部であるＲＯＭ（Ｒｅａｄ  Ｏｎｌｙ  Ｍｅｍｏｒｙ）１００３に格納されているプログラムに従って、次に示す各制御部を制御する。ＣＰＵ回路部１００１は、印刷に関する制御部として、操作パネル制御部１００５、原稿給紙装置制御部１００６、イメージリーダ制御部１００７、画像信号制御部１００８、プリンタ制御部１００９、及び給紙装置制御部１０１０を制御する。また、ＣＰＵ回路部１００１は、印刷成果物の形成に関する制御部として、クリーサ制御部１０１１、折り機制御部１０１２、くるみ製本制御部１０１３、及びフィニッシャ制御部１０１４を制御する。さらに、ＣＰＵ回路部１００１は、内部／外部とのインタフェース制御部として、ＨＤＤ（Ｈａｒｄ  Ｄｉｓｃ  Ｄｒｉｖｅ）１０１６を制御するためのＨＤＤ  Ｉ／Ｆ１０１５、ネットワークＩ／Ｆ１０１７を制御する。ＲＡＭ（Ｒａｎｄｏｍ  Ａｃｃｅｓｓ  Ｍｅｍｏｒｙ）１００４は、制御データを一時的に保持する領域や、制御に伴う演算の作業領域として用いられる記憶部である。
【００７８】
操作パネル制御部１００５は、操作パネル４２５を制御する。原稿給紙装置制御部１００６は、自動原稿搬送装置４２３を制御する。イメージリーダ制御部１００７は、スキャナ４２４を制御する。画像信号制御部１００８は、受け取った画像データに対して画像処理を施した後に、プリンタ制御部が解釈可能な画像信号に変換し、プリンタ制御部１００９へ渡す制御を行う。プリンタ制御部１００９は、現像ユニット４０５、現像ユニット４０６、現像ユニット４０７、現像ユニット４０８、第一定着部４１３、及び第二定着部４１４等を制御する。給紙装置制御部１０１０は、外部給紙装置２０１、外部給紙装置２０２、画像形成装置本体２０３の給紙トレイ、及びインサータ装置２０４を制御する。
【００７９】
クリーサ制御部１０１１は、クリーサ装置２０５を制御する。折り機制御部１０１２は、折り機２０６を制御する。くるみ製本制御部１０１３は、くるみ製本機２０７を制御する。フィニッシャ制御部１０１４は、フィニッシャ装置２０８を制御する。ＨＤＤ  Ｉ／Ｆ１０１５は、ＨＤＤ１０１６とのインタフェースであり、ＨＤＤ１０１６に対する書き込みや読み出しを制御する。ネットワークＩ／Ｆ１０１７は、ネットワーク１０４を介したデータの送受信を制御する。ＨＤＤ１０１６は、大容量記憶装置であり、不揮発性のデータを保存する領域である。ネットワークＩ／Ｆ１０１７は、ネットワーク１０４を介して画像処理装置１０２や、情報処理装置１０３と接続される。
【００８０】
コピー動作時のＣＰＵ回路部１００１による各制御部に対する制御について説明する。ＣＰＵ回路部１００１は、操作パネル制御部１００５からのコピー指示を受けると、原稿給紙装置制御部１００６を使い、自動原稿搬送装置４２３に、原稿束を１枚ずつフィードするように指示する。そして、ＣＰＵ回路部１００１は、イメージリーダ制御部１００７を介して、スキャナ４２４に、原稿を読み取り画像データを生成させる。
【００８１】
次に、ＣＰＵ回路部１００１は、生成した画像データを、ＲＡＭ１００４に一次保存し、画像信号制御部１００８へ転送する。そして、ＣＰＵ回路部１００１は、画像信号制御部１００８にプリンタ制御部１００９が解釈可能な画像信号に変換し、プリンタ制御部１００９へ画像信号を渡すよう指示する。同時に、ＣＰＵ回路部１００１は、給紙装置制御部１０１０を使い、外部給紙装置２０１、外部給紙装置２０２などから印刷用のメディアを給紙するように指示する。プリンタ制御部１００９は、現像ユニット４０５、現像ユニット４０６、現像ユニット４０７、現像ユニット４０８、第一定着部４１３、及び第二定着部４１４等を制御し、給紙したメディアに読み取った画像を形成する。
【００８２】
その後、画像形成されたメディアは、ユーザ指定の出力形態に応じて後処理を施される。ここで、後処理とは、クリーサ制御部１０１１、折り機制御部１０１２、くるみ製本制御部１０１３、及びフィニッシャ制御部１０１４により施される処理を示す。
【００８３】
例えば、メディアにクリース処理を施す場合は、ＣＰＵ回路部１００１は、クリーサ制御部１０１１を使って、メディアに対するクリース処理を実施する。メディアに対する折りを実施する場合、ＣＰＵ回路部１００１が、折り機制御部１０１２を使って、折りの制御を実施する。このときメディアは、４つ折り、Ｃ折りであれば、排出部７１７に排出され、Ｚ折り、外三つ折り、２つ折りの場合は、くるみ製本機２０７にメディアを搬送されるように制御される。くるみ製本を形成する場合、ＣＰＵ回路部１００１は、くるみ製本制御部１０１３を使ってくるみ製本の形成処理を行い、メディアをバスケット部８１９に排出させる。フィニッシャ装置２０８で形成処理する場合、ＣＰＵ回路部１００１は、フィニッシャ制御部１０１４を使って、指定された排紙先や、中綴じ及び２穴パンチなど指定されたフィニッシング設定に応じた処理を行う。そして、ＣＰＵ回路部１００１は、処理を施されたメディアを、サンプルトレイ９１１、スタックトレイ９１４、もしくはサドルスタック部９２２のいずれかに排紙させる。
【００８４】
次に、プリント動作時のＣＰＵ回路部１００１による各制御部に対する制御について説明する。ＣＰＵ回路部１００１は、ネットワークＩ／Ｆ１０１７を経由して、画像処理装置１０２から印刷画像データを受信する。次に、ＣＰＵ回路部１００１は、受信した画像データを、ＲＡＭ１００４に一次保存し、画像信号制御部１００８へ転送する。その後は、コピー動作時と同様であるので、説明は省略する。
【００８５】
図７（Ｂ）は、クリーサ制御部１０１１の詳細なブロック図である。ＣＰＵ回路部１１０１はＣＰＵ１１０２を有し、ＲＯＭ１１０３に格納されているプログラムに従って、次に示す制御部を制御する。ここでの制御部とは、ダイ検知部１１０５、圧力制御部１１０６、及び搬送パス制御部１１０７を指す。また、ＲＡＭ１１０４は、制御データを一時的に保持する領域や、制御に伴う演算の作業領域として用いられる。
【００８６】
ＣＰＵ回路部１１０１は、ＣＰＵ回路部１００１と、ダイ検知部１１０５、圧力制御部１１０６、及び搬送パス制御部１１０７との間の仲介回路である。ＣＰＵ回路部１１０１は、ＣＰＵ回路部１００１からの指示や制御部からの通知を仲介する機能を持つ。ダイ検知部１１０５は、クリース用ダイ６０４が、クリーサ装置２０５に装着されているか否かを検知する検知部である。
【００８７】
圧力制御部１１０６は、圧力装置６０６〜６０８を制御し、クリース用ダイ６０４に圧力を加えることでクリースを行う。搬送パス制御部１１０７は、フラッパ６０３、搬送速度制御ユニット６１０などを制御し、メディアの搬送パス切り替えや、搬送速度の制御を行う。つまり、ＣＰＵ回路部１００１は、ＣＰＵ回路部１１０１を通じて、ダイ検知部１１０５、圧力制御部１１０６、及び搬送パス制御部１１０７を集中制御でき、クリーサ装置２０５に対するクリース処理や搬送パスを制御可能である。
【００８８】
図７（Ｃ）は、画像処理装置１０２および情報処理装置１０３のハードウェア構成のブロック図である。ＣＰＵ１２０１は、ＲＯＭ１２０７、ＨＤＤ１２０９及びＣＤＤ１２０６に格納された制御プログラムに基づいてＣＰＵデバイスに接続された各デバイスを制御する。
【００８９】
表示装置１２０２の表示画面には、例えばウインドウ、アイコン、メッセージ、メニューその他のオペレータインターフェース情報が表示される。ＶＲＡＭ（Ｖｉｄｅｏ  Ｒａｎｄｏｍ  Ａｃｃｅｓｓ  Ｍｅｍｏｒｙ）１２０３は、表示装置１２０２に表示するための表示画像が描画される。ＶＲＡＭ１２０３に生成された表示画像データは、所定の規定に従って表示装置１２０２に転送され、これにより表示装置１２０２に画像が表示される。キーボード１２０４は、文字入力を行うための各種キーを有する。ＰＤ（ポインティングデバイス）１２０５は、例えば、表示装置１２０２の表示画面上に表示されたアイコン、メニューその他のオブジェクトを指示するために使用される。
【００９０】
ＣＤＤ（Ｃｏｍｐａｃｔ  Ｄｉｓｋ  Ｄｒｉｖｅ）１２０６は、ＣＤ−ＲＯＭや、ＣＤ−Ｒなどの記録メディアとの間で各種制御プログラムやデータの読み書きを行う装置である。これはＤＶＤドライブであってもよい。ＲＯＭ１２０７は、各種の制御プログラムやデータを保持する。ＲＡＭ１２０８は、ＣＰＵ１２０１のワーク領域、エラー処理時のデータの退避領域、制御プログラムのロード領域等を有する。
【００９１】
例えば、画像処理装置１０２は、電子データをＲＩＰして画像形成装置１０１へ送信する機能を有している。その機能に対応するプログラムはＲＯＭ１２０７に格納されており、ＲＩＰ処理を行う際にはＣＰＵ１２０１のワーク領域やＲＡＭ１２０８を利用する。また、情報処理装置１０３は、電子データを印刷ジョブとして、画像処理装置１０２へ送信する機能を有している。その機能に対応するプログラムはＲＯＭ１２０７に格納されており、送信処理を行う際には、ＣＰＵ１２０１のワーク領域やＲＡＭ１２０８を利用する。
【００９２】
ＨＤＤ１２０９は内部記録装置であり、各種制御プログラムや各種データを保存する。外部記録Ｉ／Ｆ１２１０は、ＵＳＢメモリなどの外部記録媒体への読み書きを行う装置である。ネットワーク・インターフェース（Ｎｅｔ−Ｉ／Ｆ）１２１１は、ネットワーク１２１２を介して、データの送受信を行う。本実施形態では、ネットワーク１０４を介して、画像形成装置１０１、画像処理装置１０２、及び情報処理装置１０３の間で、データの送受信を行うことができる。ＣＰＵバス１２１３は、アドレスバス、データバス及びコントロールバスを含む。
【００９３】
［ソフトウェア構成］
図８は、画像形成装置１０１、画像処理装置１０２、及び情報処理装置１０３のソフトウェア構成のブロック図である。
【００９４】
ＵＩ処理部１３０１、機器制御部１３０２、受信処理部１３０３、送信処理部１３０４、及びネットワークＩ／Ｆ制御部１３０５は、画像形成装置１０１のＣＰＵ回路部１００１にて実行されるソフトウェアモジュールである。ＵＩ処理部１３０６、ジョブ制御部１３０７、ＲＩＰ処理部１３０８、受信処理部１３０９、送信処理部１３１０、及びネットワークＩ／Ｆ制御部１３１１は、画像処理装置１０２のＣＰＵ１２０１にて実行されるソフトウェアモジュールである。また、ＵＩ処理部１３１２、ジョブ生成部１３１３、送信処理部１３１４、及びネットワークＩ／Ｆ制御部１３１５は、情報処理装置１０３のＣＰＵ１２０１にて実行されるソフトウェアモジュールである。
【００９５】
ＵＩ処理部１３０１は、操作パネル制御部１００５を制御し、操作パネル４２５に画像形成装置１０１に関する設定画面の表示などを担当する。そして、ＵＩ処理部１３０１は、設定画面にて設定された設定値を画像形成装置１０１のＨＤＤ１０１６への保存や読み出しを行う処理を担当する。機器制御部１３０２は、ＣＰＵ回路部１００１を制御し、画像形成装置１０１による画像形成、クリース、折り、くるみ製本形成、中綴じ製本形成などの処理を担当する。さらに、機器制御部１３０２は、画像形成装置１０１のＨＤＤ１０１６から印刷に関する設定を読み出し、印刷処理に反映する処理も担当する。
【００９６】
受信処理部１３０３は、画像処理装置１０２によりＲＩＰされた画像データを、ネットワークＩ／Ｆ制御部１３０５を通じて受信し、ページ単位で機器制御部１３０２へ渡す処理を担当する。送信処理部１３０４は、画像形成装置１０１にて発生したイベントや状態変更の通知などを、ネットワークＩ／Ｆ制御部１３０５を通じて送信する。ネットワークＩ／Ｆ制御部１３０５は、ネットワークＩ／Ｆ１０１７を制御する。さらに、ネットワークＩ／Ｆ制御部１３０５は、ネットワークＩ／Ｆ制御部１３１１と連携し、ネットワーク１０４を通じて、画像形成装置１０１と画像処理装置１０２との間のデータ通信処理を担当する。
【００９７】
ＵＩ処理部１３０６は、画像処理装置１０２の表示装置１２０２に、画像形成装置１０１と画像処理装置１０２が印刷ジョブを実行するときのジョブの状態や設定などを表示する処理を担当する。ジョブ制御部１３０７は、画像形成装置１０１に対する印刷ジョブの送信処理を担当する。具体的には、ジョブ制御部１３０７は、印刷ジョブの印刷開始要求やジョブ設定情報の送信などの処理を行う。ＲＩＰ処理部１３０８は、印刷データをページ単位でＲＩＰする処理を担当する。
【００９８】
受信処理部１３０９は、ネットワークＩ／Ｆ制御部１３１１を通じて、画像形成装置１０１からのイベントや状態変更などを受信し、ＵＩ処理部１３０６へ渡す処理を担当する。さらに、受信処理部１３０９は、ネットワークＩ／Ｆ制御部１３１１を通じて、情報処理装置１０３から受信した印刷ジョブをジョブ制御部１３０７へ渡す処理を担当する。送信処理部１３１０は、ＲＩＰされた画像データをページ単位で、ネットワークＩ／Ｆ制御部１３１１を通じて、画像形成装置１０１の受信処理部１３０３に渡す処理を担当する。ネットワークＩ／Ｆ制御部１３１１は、Ｎｅｔ−Ｉ／Ｆ１２１１を制御する。さらに、ネットワークＩ／Ｆ制御部１３１１は、ネットワーク１０４を介して、画像形成装置１０１、画像処理装置１０２、及び情報処理装置１０３との間のデータ通信処理を行う。
【００９９】
ＵＩ処理部１３１２は、情報処理装置１０３の表示装置１２０２にジョブ設定画面を表示する処理や、印刷ジョブを生成する指示をジョブ生成部１３１３に渡す処理を担当する。ジョブ生成部１３１３は、ＵＩ処理部１３１２からの指示に従って印刷ジョブを生成し、印刷データを送信処理部１３１４に渡す処理を担当する。送信処理部１３１４は、印刷ジョブを、ネットワークＩ／Ｆ制御部１３１５を通じて、画像処理装置１０２の受信処理部１３０９へ渡す処理を担当する。ネットワークＩ／Ｆ制御部１３１５は、Ｎｅｔ−Ｉ／Ｆ１２１１を制御する。さらに、ネットワークＩ／Ｆ制御部１３１５は、ネットワークＩ／Ｆ制御部１３１１と連携し、ネットワーク１０４を通じて、画像処理装置１０２と情報処理装置１０３との間のデータ通信処理を担当する。
【０１００】
本構成において、画像処理装置１０２が情報処理装置１０３から印刷ジョブ送信し、ＲＩＰを行い、その後、画像形成装置１０１にて印刷する場合は、以下の処理を行うことで実現する。まず、情報処理装置１０３のジョブ生成部１３１３は、ＵＩ処理部１３１２にて設定されたジョブ設定に従ってジョブを生成する。そして、情報処理装置１０３は、生成した印刷データとジョブ設定情報を、送信処理部１３１４を使って画像処理装置１０２のジョブ制御部１３０７へ印刷ジョブを送信する。次に、画像処理装置１０２のジョブ制御部１３０７は、受信した印刷データをＲＩＰ処理部１３０８にてページ単位でレンダリングし、送信処理部１３１０を使ってＲＩＰされた画像データを画像形成装置１０１の機器制御部１３０２へ送信する。さらに、画像処理装置１０２のジョブ制御部１３０７は、ＲＩＰされた画像データの送信に合わせて、送信処理部１３１０を使って、ジョブ設定情報を画像形成装置１０１の機器制御部１３０２へ送信する。
【０１０１】
次に、画像形成装置１０１の機器制御部１３０２は、受信したＲＩＰされた画像データを受け取り、その画像データを画像信号制御部１００８へ渡すとともに、ジョブ設定情報を受信する。続いて、機器制御部１３０２は、ジョブ設定情報を元に、プリンタ制御部１００９、給紙装置制御部１０１０、及びフィニッシャ制御部１０１４などへ給紙トレイや排紙先に関する指示を出す。この時、クリースや折りの制御を行う場合、機器制御部１３０２は、クリーサ制御部１０１１、折り機制御部１０１２にも指示を出す。そして、機器制御部１３０２は、指示を出すと共に、画像信号制御部１００８へ画像データをプリンタ制御部１００９へ渡すように指示する。
【０１０２】
［ジョブ設定画面の構成］
図９は、情報処理装置１０３の表示装置１２０２に表示されるジョブ設定画面である。これにより、クリース設定を含むジョブの設定を受け付ける受付手段を実現する。図９（Ａ）において、タグ１４０１は、ジョブ設定項目を種類によってグループ化したタグであり、「一般」、「ジョブ情報」、「メディア」、「レイアウト」、「仕上げ」、「クリース」の６種類により構成されている。図９（Ａ）では、「メディア」の設定項目が表示されている。「メディア」タグは、印刷ジョブが使用するメディアに関連する設定をまとめたタグである。
【０１０３】
メディア種類設定１４０２、メディアサイズ設定１４０３、及び給紙トレイ設定１４０４は、くるみ製本表紙もしくは中綴じ製本に使うメディアに関する設定項目である。図９（Ａ）中、メディア種類設定１４０２は「厚紙１」が選択されており、メディアサイズ設定１４０３は「Ａ３」が選択されており、給紙トレイ設定１４０４は「自動選択」が選択されている。つまり、図９（Ａ）中の設定では、メディアタイプが「厚紙１」で、メディアサイズが「Ａ３」と設定されている給紙トレイであれば、どの給紙トレイからでも給紙して印刷するように設定されている。
【０１０４】
メディア種類設定１４０５、メディアサイズ設定１４０６、及び給紙トレイ設定１４０７は、くるみ製本中紙に使うメディアに関する設定項目である。図９（Ａ）中、メディア種類設定１４０５は「普通紙１」が選択されており、メディアサイズ設定１４０６は「Ａ４」が選択されており、給紙トレイ設定１４０７は「自動選択」が選択されている。つまり、図９（Ａ）中の設定では、メディアタイプが「普通紙１」で、メディアサイズが「Ａ４」と設定されている給紙トレイであれば、どの給紙トレイからでも給紙して印刷するように設定されている。
【０１０５】
メディア種類設定１４０８、メディアサイズ設定１４０９、及び給紙トレイ設定１４１０は、くるみ製本や中綴じ製本を行わない場合に使用するメディアに関する設定項目である。図９（Ａ）中、メディア種類設定１４０８は「普通紙１」が選択されており、メディアサイズ設定１４０９は「Ａ３」が選択されており、給紙トレイ設定１４１０は「自動選択」が選択されている。つまり、図９（Ａ）中の設定では、メディアタイプが「普通紙１」で、メディアサイズが「Ａ３」と設定されている給紙トレイであれば、どの給紙トレイからでも給紙して印刷するように設定されている。
【０１０６】
印刷ボタン１４１１は、ジョブ設定画面で設定した内容で印刷を開始するためのボタンである。ＯＫボタン１４１２は、ジョブ設定画面で設定した内容をジョブ設定として決定するボタンである。キャンセルボタン１４１３は、ジョブ設定画面で設定した内容を破棄するボタンである。
【０１０７】
図９（Ｂ）は、「レイアウト」の設定項目が表示されている。「レイアウト」タグは、印刷レイアウトに関する設定をまとめたタグである。印刷方法設定１４１４、及び綴じ方向設定１４１５は、くるみ製本表紙もしくは中綴じ製本のレイアウトに関する設定項目である。図９（Ｂ）中、印刷方法設定１４１４は「両面」が選択されており、綴じ方向設定１４１５は「短辺綴じ」が選択されている。つまり、図９（Ｂ）中の設定では、くるみ製本表紙もしくは中綴じ製本のレイアウトとして、２ページの画像データを短辺綴じで両面印刷するように設定されている。
【０１０８】
印刷方法設定１４１６及び綴じ方向設定１４１７は、くるみ製本中紙のレイアウトに関する設定項目である。図９（Ｂ）中、印刷方法設定１４１６は「両面」が選択されており、綴じ方向設定１４１７は「長辺綴じ」が選択されている。つまり、図９（Ｂ）中の設定では、くるみ製本中紙のレイアウトとして、２ページの画像データを長辺綴じで両面印刷するように設定されている。印刷方法設定１４１８及び綴じ方向設定１４１９は、くるみ製本や中綴じ製本を行わない場合のレイアウトに関する設定項目である。図９（Ｂ）中、印刷方法設定１４１８は「片面」が選択されており、綴じ方向設定１４１９は「なし」が選択されている。つまり、図９（Ｂ）中の設定では、くるみ製本や中綴じ製本を行わない場合のレイアウトとして、１ページの画像データを片面印刷するように設定されている。印刷ボタン１４１１、ＯＫボタン１４１２、及びキャンセルボタン１４１３については、図９（Ａ）と同様であるため、説明を省略する。
【０１０９】
図９（Ｃ）は、「仕上げ」の設定項目が表示されている。「仕上げ」タグは、排紙や形成に関する設定をまとめたタグである。排紙先設定１４２０は、排紙先の指定に関する設定であり、図９（Ｃ）中では「くるみ製本機」が指定されている。ここで、本設定は、くるみ製本機以外にも、フィニッシャ装置２０８のサンプルトレイ９１１、スタックトレイ９１４、及びサドルスタック部９２２などが選択可能である。
【０１１０】
パンチ設定１４２１は、フィニッシャ装置２０８に排出する際に、メディアに穴あけ処理を行うか否かを設定する項目である。図９（Ｃ）中では、パンチ設定１４２１を「しない」に指定されている。ステイプル設定１４２２は、フィニッシャ装置２０８に排出する際に、メディアにホチキス留め処理を行うか否かを設定する項目である。図９（Ｃ）中では、ステイプル設定１４２２を「しない」に指定されている。折り設定１４２３は、折り機２０６にて、折り処理を行うか否かを設定する項目である。図９（Ｃ）中では、折り設定１４２３を「しない」に指定されている。ここで、本設定は、「しない」の他に、図５（Ｂ）にて説明したような「Ｚ折り」、「外３つ折り」、「２つ折り」、「４つ折り」、「Ｃ折り」が選択可能である。
【０１１１】
中綴じ製本設定１４２４は、フィニッシャ装置２０８に排出する際に、メディアに中綴じ処理を行うか否かを設定する項目である。図９（Ｃ）中では、中綴じ製本設定１４２４を「しない」に設定されている。くるみ製本設定１４２５は、くるみ製本機２０７で、くるみ製本を形成する場合に設定する項目である。図９（Ｃ）中では、くるみ製本設定１４２５を「する」に設定されている。印刷ボタン１４１１、ＯＫボタン１４１２、及びキャンセルボタン１４１３については、図９（Ａ）と同様であるため、説明を省略する。
【０１１２】
図９（Ｄ）は、「クリース」の設定項目が表示されている。「クリース」タグは、クリース処理に関する設定をまとめたタグである。製本時の折り返し用クリース設定１４２６は、くるみ製本及び中綴じ製本時の折り返し位置にクリースを施すか否かに関する設定であり、図９（Ｄ）中では、「する」が選択されている。本設定は、ラジオボタン設定となっており、「する」もしくは「しない」の２者択一となっている。
【０１１３】
製本時の背の角からのオフセット位置１４２７は、製本時の折り返し用クリース設定１４２６が「する」の場合に、どの位置に折り返し用クリースを施すかに関する設定である。図９（Ｄ）中では、背の角から「１５．０ｍｍ」の位置に、折り返し用クリースを施すように設定されている。ページ単位のクリース設定１４２８は、ページ単位でどの位置に、どのような用途でクリースを施すかを設定する項目である。図９（Ｄ）中では、ページ単位のクリース設定は、何も設定されていない（設定なし）。印刷ボタン１４１１、ＯＫボタン１４１２、及びキャンセルボタン１４１３については、図９（Ａ）での説明と同様であるため、説明を省略する。
【０１１４】
なお、図９に示した各画面による設定は、ＵＩ処理部１３１２が、ＣＰＵ１２０１を使って、ＨＤＤ１２０９に読み出しや書き込みの処理を行う。また、印刷を実行する場合は、ＵＩ処理部１３１２が、ジョブ生成部１３１３に対して、ジョブの生成を依頼する処理を行う。
【０１１５】
［折り返しに関する説明］
図１０は、くるみ製本の表紙に対する折り返しに関する説明である。図１０を用いて、本実施形態における、「背の角」、「折り返し」、「オフセット」を明確に定義する。さらに、「背の角」、「折り返し」、「オフセット」と「クリース位置１」、「クリース位置２」、「クリース位置３」、「クリース位置４」の関係を説明する。
【０１１６】
図１０（Ａ）、図１０（Ｂ）は、くるみ製本に関する、背の角と折り返しの位置関係を示す。図１０（Ａ）のように、折り返しは、くるみ製本の表表紙と裏表紙にそれぞれ１本存在する。また、背の角と折り返しの間は、「オフセット」と言う名称で定義され、さらに、２つの背の角の間は、「背表紙の厚み」と言う名称で定義される。なお、図１０（Ｂ）のオフセットは、図９（Ｄ）に示す「製本時の背の角からのオフセット位置」１４２７に対応している。図９（Ｄ）の例では、図１０（Ｂ）のオフセットの長さを「１５．０ｍｍ」に設定している。
【０１１７】
図１０（Ｃ）は、くるみ製本の表紙に対して、基準位置（メディアの先端）から、背の角と折り返しがどこに位置するかを示している。図６（Ａ）を用いて説明したように、くるみ製本の表紙の中央に、中紙の束が糊付けされる。そのため、基準位置（メディアの先端）から「クリース位置１」、「クリース位置２」、「クリース位置３」、「クリース位置４」までの長さは、くるみ製本表紙のメディアの長さ、背表紙の厚み、オフセットと、図１０（Ｃ）に示す関係にある。なお、背表紙の厚みは、くるみ製本の中紙に使うメディアの種類や枚数に依存するため、生成するくるみ製本毎に異なる。
【０１１８】
図１０（Ｃ）の関係を、数式で表すと、以下のように求められる。
クリース位置１（折り返し）＝（くるみ製本表紙の長さ／２）−（背表紙の厚み／２）−オフセット値
クリース位置２（背の角）＝（くるみ製本表紙の長さ／２）−（背表紙の厚み／２）
クリース位置３（背の角）＝（くるみ製本表紙の長さ／２）＋（背表紙の厚み／２）
クリース位置４（折り返し）＝（くるみ製本表紙の長さ／２）＋（背表紙の厚み／２）＋オフセット値
【０１１９】
図１１は、クリースを施す際の圧力（以下、「クリース圧」と記載）の管理テーブルの構成例である。管理テーブル１６００は、画像形成装置１０１のＨＤＤ１０１６に保存されている。図１１中、メディアＩＤ１６０１は、メディアを一意に識別するための識別子（識別情報）である。メディア種類１６０２は、メディアＩＤ毎のメディアの名称である。メディア種類１６０２の値は、図９（Ａ）におけるメディア種類設定１４０２、メディア種類設定１４０５、及びメディア種類設定１４０８に表示される。折り返し用クリース圧１６０３は、クリース用途が「折り返し」の場合の圧力である。背の角用クリース圧１６０４は、クリース用途が「背の角」の場合の圧力である。
【０１２０】
図１１の例では、３種類のメディアそれぞれに対応付けて、クリース用途毎の適切なクリース圧が管理されている。なお、管理テーブル１６００で管理されるクリース圧は、クリーサ装置２０５にてメディアに対してクリース（筋付け）処理を行う場合のクリース圧である。また、ここで示すメディアの種類に限定するものではなく、他の種類のメディアを登録して扱えるようにしても構わない。また、クリースの他の用途に対して更にクリース圧を定義してもよい。更に、図１１に示す各メディアに関連付けられたクリース圧も一例であり、例えば、経験的、試験的に求められる他のクリース圧を用いても構わない。
【０１２１】
＜第一の実施形態＞
第一の実施形態では、情報処理装置１０３が、画像処理装置１０２に対してくるみ製本ジョブを送信した場合に、くるみ製本表紙に「折り返し用クリース」と「背の角用クリース（折り目用クリース）」を行う場合について説明する。
【０１２２】
第一の実施形態の前提を説明する。まず、情報処理装置１０３から送信されるくるみ製本ジョブの設定としては、上述した図９に示した設定が施されているものとする。
【０１２３】
次に、情報処理装置１０３において、オペレータが印刷ボタン１４１１を押下することにより、情報処理装置１０３のＵＩ処理部１３１２がジョブ生成部１３１３に対して、ジョブの生成を依頼し、ジョブ生成部１３１３が、くるみ製本ジョブを生成する。そして、ジョブ生成部１３１３が、送信処理部１３１４を使って、画像処理装置１０２のジョブ制御部１３０７へ生成したジョブを送信した状態であるとする。
【０１２４】
［処理フロー］
第一の実施形態について、図１２と図１３のフローチャートを用いて説明をする。図１２は、画像処理装置１０２のジョブ制御部１３０７にて実施される処理のフローチャートである。本処理に係るプログラムは、画像処理装置１０２のＲＯＭ１２０７に格納されており、ＣＰＵ１２０１にて読み出されて実行される。また、図１３は、画像形成装置１０１の機器制御部１３０２にて実施される処理のフローチャートである。本処理のプログラムは、画像形成装置１０１のＲＯＭ１００３に格納されており、ＣＰＵ１００２にて読み出されて実行される。
【０１２５】
（画像処理装置における処理）
まず、図１２について説明する。処理が開始されると、Ｓ１７０１にて、ジョブ制御部１３０７は、ジョブ生成部１３１３から印刷ジョブを受信したか否かを判定する。印刷ジョブを受信した場合（Ｓ１７０１にてＹＥＳ）、Ｓ１７０２に進む。印刷ジョブを受信していない場合（Ｓ１７０１にてＮＯ）、ジョブ制御部１３０７は、印刷ジョブを受信するまで待機する。
【０１２６】
Ｓ１７０２にて、ジョブ制御部１３０７は、受信した印刷ジョブのジョブ設定情報を解析し、くるみ製本ジョブか否かを判定する。具体的には、排紙先設定１４２０が、「くるみ製本機」であり、かつ、くるみ製本設定１４２５が、「する」である場合は、くるみ製本ジョブであると判定する。ジョブ制御部１３０７は、受信した印刷ジョブがくるみ製本ジョブである場合（Ｓ１７０２にてＹＥＳ）、Ｓ１７０６に進み、そうでない場合（Ｓ１７０２にてＮＯ）、Ｓ１７０３に進む。
【０１２７】
Ｓ１７０３にて、ジョブ制御部１３０７は、ジョブ設定画面の「メディア」と「レイアウト」で設定されている項目に基づいて構成情報を生成する。このとき、ジョブ制御部１３０７は、画像形成装置１０１の機器制御部１３０２に対して、メディア種類設定１４０２やメディア種類設定１４０８に設定されているメディア種類のメディアＩＤを問い合わせ、取得したメディアＩＤを構成情報に含める。また、ジョブ制御部１３０７は、ジョブ設定画面の「仕上げ」と「クリース」で設定した項目に基づいてフィニッシング情報を生成する。
【０１２８】
Ｓ１７０４にて、ジョブ制御部１３０７は、画像形成装置１０１の機器制御部１３０２に対して、印刷開始要求を送信し、その要求と共に、Ｓ１７０３で生成した構成情報とフィニッシング情報を送信する。Ｓ１７０５にて、ジョブ制御部１３０７は、ＲＩＰ処理部１３０８に対し、印刷ジョブのＲＩＰした画像データを、画像形成装置１０１の機器制御部１３０２に送信するように指示を行う。その後、本処理フローを終了する。
【０１２９】
Ｓ１７０６にて、ジョブ制御部１３０７は、受信した印刷ジョブのジョブ設定情報を解析し、くるみ製本表紙とくるみ製本中紙のメディア種別を取得する。図９（Ａ）の例の場合、メディア種類設定１４０２とメディア種類設定１４０５が該当する。
【０１３０】
Ｓ１７０７にて、ジョブ制御部１３０７は、受信した印刷ジョブのジョブ設定情報を解析し、中紙の枚数を計算する。具体的には印刷ジョブに含まれる論理ページ数と、印刷方法設定１４１６の設定に基づいて計算する。図９（Ｂ）の例の場合、印刷方法設定１４１６は「両面」であるので、論理ページ数を２で割り、余りを足した結果が、中紙の枚数となる。なお、印刷方法設定１４１６が「片面」の場合は、論理ページ数がそのまま中紙の枚数となる。
【０１３１】
Ｓ１７０８にて、ジョブ制御部１３０７は、以下の式に従って、背表紙の厚みを計算する。
背表紙の厚み＝（くるみ製本表紙のメディアの厚み）＋（くるみ製本中紙のメディアの厚み×中紙の枚数）
【０１３２】
ここで用いられるメディア毎の厚みは、画像形成装置１０１のＨＤＤ１０１６に予め保存されており、メディアＩＤに対応付けて管理されている。このメディア毎の厚みは、ジョブ制御部１３０７が、画像形成装置１０１の機器制御部１３０２に問い合わせることで取得する。なお、背表紙の厚みの計算式については、本実施形態に限定されるものではなく、中紙のメディア混在を考慮した式としても良い。また、糊付けなどの外的要因を考慮に入れても構わない。
【０１３３】
Ｓ１７０９にて、ジョブ制御部１３０７は、受信した印刷ジョブのジョブ設定情報を解析し、製本時の折り返し用クリース設定１４２６を取得し、設定内容を確認する。ジョブ制御部１３０７は、製本時の折り返し用クリース設定１４２６が「する」の場合（Ｓ１７０９にてＹＥＳ）、Ｓ１７１１に進み、「しない」の場合（Ｓ１７０９にてＮＯ）、Ｓ１７１０に進む。
【０１３４】
Ｓ１７１０にて、ジョブ制御部１３０７は、クリース位置２とクリース位置３の計算を行う。ジョブ制御部１３０７は、受信した印刷ジョブのジョブ設定情報を解析し、メディアサイズ設定１４０３からメディアサイズを取得する。図９（Ａ）の例の場合、メディアサイズ設定１４０３にて「Ａ３」が指定されている。「Ａ３」は定型サイズであり、搬送方向のサイズは、４２０．０ｍｍである。ジョブ制御部１３０７は、メディアサイズ設定１４０３とＳ１７０８で計算した背表紙の厚みに基づいて、クリース位置２とクリース位置３の計算を行う。その後、Ｓ１７１３へ進む。なお、ここでは、定型サイズのメディアの長さ（大きさ）の情報は、画像処理装置１０２が有しており、ＨＤＤ１２０９に定型サイズの長さの情報が予め保存されているものとする。
【０１３５】
Ｓ１７１１にて、ジョブ制御部１３０７は、受信した印刷ジョブのジョブ設定情報を解析し、製本時の背の角からのオフセット位置１４２７を取得する。Ｓ１７１２にて、ジョブ制御部１３０７は、クリース位置１、クリース位置２、クリース位置３、クリース位置４の計算を行う。ジョブ制御部１３０７は、受信した印刷ジョブのジョブ設定情報を解析し、メディアサイズ設定１４０３からメディアサイズを取得する。図９（Ａ）の例の場合、メディアサイズ設定１４０３にて「Ａ３」が指定されている。「Ａ３」は定型サイズであり、搬送方向のサイズは、４２０．０ｍｍである。ジョブ制御部１３０７は、メディアサイズ設定１４０３、Ｓ１７０８で計算した背表紙の厚み、及びＳ１７１１で取得した製本時の背の角からのオフセット位置１４２７に基づいて、４つのクリース位置の計算を行う。
【０１３６】
Ｓ１７１３にて、ジョブ制御部１３０７は、Ｓ１７１０もしくはＳ１７１２にて計算したクリース位置とクリース用途の対応付けを行う。具体的には、Ｓ１７１０の処理を通過した場合、ジョブ制御部１３０７は、くるみ製本表紙に対して、クリース位置２とクリース位置３の位置の２本のクリースは「背の角用クリース（折り目用クリース）」用途であるとして決定し、対応付ける。なお、この場合は、「折り返し用クリース」が存在しないこととなる。また、Ｓ１７１２の処理を通過した場合、ジョブ制御部１３０７は、くるみ製本表紙に対して、クリース位置１とクリース位置４の位置の２本のクリースは「折り返し用クリース」用途であるとして決定し、対応付ける。さらに、ジョブ制御部１３０７は、クリース位置２とクリース位置３の位置の２本のクリースは「背の角用クリース（折り目用クリース）」用途であるとして決定し、対応付ける。
【０１３７】
Ｓ１７１４にて、ジョブ制御部１３０７は、ジョブ設定画面の「メディア」と「レイアウト」で設定されている項目に基づいて構成情報を生成する。このとき、ジョブ制御部１３０７は、画像形成装置１０１の機器制御部１３０２に対して、メディア種類設定１４０２やメディア種類設定１４０８に設定されているメディア種類のメディアＩＤを問い合わせ、取得したメディアＩＤを構成情報に含める。また、ジョブ制御部１３０７は、ジョブ設定画面の「仕上げ」と「クリース」で設定した項目を元にフィニッシング情報を生成する。このとき、ジョブ制御部１３０７は、Ｓ１７１３にて生成した、クリース位置とクリース用途の対応付け情報もフィニッシング情報に含める。
【０１３８】
Ｓ１７１５にて、ジョブ制御部１３０７は、画像形成装置１０１の機器制御部１３０２に対して印刷開始要求を送信し、その要求と共にＳ１７１４で生成した構成情報とフィニッシング情報を送信する。Ｓ１７１６にて、ジョブ制御部１３０７は、ＲＩＰ処理部１３０８に対して、くるみ製本ジョブのＲＩＰした画像データを、画像形成装置１０１の機器制御部１３０２に送信するように指示を行う。そして、本処理フローを終了する。
【０１３９】
（画像形成装置における処理）
次に、図１３について説明する。処理が開始されると、Ｓ１８０１にて、画像形成装置１０１の機器制御部１３０２は、ジョブ制御部１３０７から印刷ジョブに対する印刷開始要求を受信したか否かを判定する。印刷開始要求を受信した場合（Ｓ１８０１にてＹＥＳ）、Ｓ１８０２に進む。印刷開始要求を受信していない場合（Ｓ１８０１にてＮＯ）、機器制御部１３０２は、印刷開始要求を受信するまで待機する。
【０１４０】
Ｓ１８０２にて、機器制御部１３０２は、受信した印刷ジョブのフィニッシング情報を解析し、くるみ製本ジョブか否かを判定する。具体的には、図９（Ｃ）を用いて説明した排紙先設定１４２０が、「くるみ製本機」であり、かつ、くるみ製本設定１４２５が、「する」である場合、くるみ製本ジョブであると判定する。機器制御部１３０２は、印刷要求がくるみ製本である場合（Ｓ１８０２にてＹＥＳ）、Ｓ１８０４に進み、そうでない場合（Ｓ１８０２にてＮＯ）、Ｓ１８０３に進む。
【０１４１】
Ｓ１８０３にて、機器制御部１３０２は、受信した印刷ジョブの構成情報とフィニッシング情報に基づいて画像形成装置１０１での印刷処理を行う。その後、本処理フローを終了する。
【０１４２】
Ｓ１８０４にて、機器制御部１３０２は、受信した印刷要求の構成情報を解析し、くるみ製本表紙のメディアＩＤを取得する。Ｓ１８０５にて、機器制御部１３０２は、受信した印刷ジョブのフィニッシング情報を解析し、クリース回数、クリース位置、クリース位置毎のクリース用途を取得する。具体的には、画像処理装置１０２側にて図１２のＳ１７１０の処理を通過していた場合、クリース回数として２回、クリース位置としてクリース位置２とクリース位置３、各クリースのクリース用途として「背の角用クリース（折り目用クリース）」が取得される。また、画像処理装置１０２側にて図１２のＳ１７１２の処理を通過していた場合、クリース回数として４回、クリース位置として、クリース位置１、クリース位置２、クリース位置３、クリース位置４が取得される。さらにクリース用途としては、クリース位置１とクリース位置４に対しては「折り返し用クリース」が取得され、クリース位置２とクリース位置３に対しては「背の角用クリース（折り目用クリース）」が取得される。
【０１４３】
Ｓ１８０６にて、機器制御部１３０２は、ＨＤＤ１０１６に保存されているクリース圧の管理テーブル１６００から、Ｓ１８０４で取得したすべてのメディアＩＤに対する「折り返し用クリース圧」と「背の角用クリース圧」を取得する。本実施形態では、メディア種類設定１４０２が「厚紙１」と指定されているため、折り返し用クリース圧として「１４０Ｋｇｆ」、角の背用クリース圧として「１００Ｋｇｆ」が取得される。
【０１４４】
Ｓ１８０７にて、機器制御部１３０２は、画像形成装置１０１のＣＰＵ回路部１００１を経由して、クリーサ装置２０５のＣＰＵ回路部１１０１に、くるみ製本の表紙に対するクリース（筋付け）処理を指示する。このとき、機器制御部１３０２は、Ｓ１８０５とＳ１８０６にて取得した設定に基づいてクリースを行う指示を行う。具体的には、折り返し用クリースを施す設定になっている位置には、折り返し用クリース圧として「１４０Ｋｇｆ」にてクリースを行う指示をする。また、背の角用クリース（折り目用クリース）を施す設定になっている場合は、背の角用クリース（折り目用クリース）圧として「１００Ｋｇｆ」にてクリースを行う指示をする。なお、図４を用いて説明したように、クリース圧は、圧力装置６０６〜６０８を制御することで任意の圧力に制御可能である。
【０１４５】
Ｓ１８０８にて、機器制御部１３０２は、画像形成装置１０１のＣＰＵ回路部１００１によりくるみ製本に使うメディアに対する印刷を実行すると共に、くるみ製本の表紙に対するクリース処理を実施する。Ｓ１８０９にて、機器制御部１３０２は、画像形成装置１０１のＣＰＵ回路部１００１を経由して、くるみ製本制御部１０１３にくるみ製本を形成する指示を行う。その後、本処理フローを終了する。本処理により、Ｓ１８０８にて印刷及びクリースを施したメディアを用いてくるみ製本が形成される。
【０１４６】
以上により、くるみ製本の表紙に対して、複数のクリース圧でクリース用途に応じたクリースを施すことが可能となる。
【０１４７】
＜第二の実施形態＞
第二の実施形態では、情報処理装置１０３が、画像処理装置１０２に対して印刷ジョブを送信した場合に、任意のメディアに「折り返し用クリース」と「背の角用クリース（折り目用クリース）」を行う場合について説明する。本実施形態では、くるみ製本をオフラインで実施する場合に、くるみ製本で使うメディアに対する印刷とクリースを行うケースを例に挙げて説明を行う。
【０１４８】
図１４は、第一の実施形態にて図９（Ｄ）に示した設定画面に対応する本実施形態に係る設定画面である。製本時の折り返し用クリース設定１９０１は、くるみ製本及び中綴じ製本時の折り返し位置にクリースを施すか否かに関する設定であり、図１４中では、「しない」が選択されている。本設定は、ラジオボタン設定であり、「する」もしくは「しない」の２者択一となっている。
【０１４９】
ページ単位のクリース設定１９０３は、ページ単位でどの位置に、どのような用途でクリースを施すかを設定する項目である。図１４中では、１ページ目に対して４本のクリースが施すように設定されている。そして、用紙先端から２００ｍｍと２４０ｍｍの位置に「折り返し用クリース」、２１０ｍｍと２３０ｍｍの位置に「背の角用クリース（折り目用クリース）」が施されるように設定されている。製本時の背の角からのオフセット位置１９０２、印刷ボタン１９０４、ＯＫボタン１９０５、及びキャンセルボタン１９０６については、図９（Ａ）と同様であるため、説明を省略する。
【０１５０】
また、第二の実施形態においては、図９（Ｃ）に示す排紙先設定１４２０は、フィニッシャ装置２０８のスタックトレイ９１４が設定されているとする。さらに、印刷するデータは、１ページ目がくるみ製本の表紙の印刷データであり、それ以外のデータは、くるみ製本の中紙の印刷データであるとする。
【０１５１】
［処理フロー］
第二の実施形態について、図１５と図１６のフローチャートを用いて説明をする。図１５は、画像処理装置１０２のジョブ制御部１３０７にて実施される処理のフローチャートである。本処理に係るプログラムは、画像処理装置１０２のＲＯＭ１２０７に格納されており、ＣＰＵ１２０１にて読み出されて実行される。また、図１６は、画像形成装置１０１の機器制御部１３０２にて実施される処理のフローチャートである。本処理に係るプログラムは、画像形成装置１０１のＲＯＭ１００３に格納されており、ＣＰＵ１００２にて読み出されて実行される。
【０１５２】
まず、第一の実施形態と同様に、情報処理装置１０３において、オペレータが印刷ボタン１９０４を押下することにより、ＵＩ処理部１３１２は、ジョブ生成部１３１３に対してジョブの生成を依頼する。ジョブ生成部１３１３は、この依頼に応じて印刷ジョブを生成する。そして、ジョブ生成部１３１３は、送信処理部１３１４を介して、画像処理装置１０２のジョブ制御部１３０７へ生成したジョブを送信した状態であるとする。
【０１５３】
（画像処理装置における処理）
続いて、画像処理装置１０２のジョブ制御部１３０７の処理について、図１５を使って説明する。処理が開始すると、Ｓ２００１にて、ジョブ制御部１３０７は、情報処理装置１０３のジョブ生成部１３１３から印刷ジョブを受信したか否かを判定する。印刷ジョブを受信した場合（Ｓ２００１にてＹＥＳ）、Ｓ２００２に進む。印刷ジョブを受信していない場合（Ｓ２００１にてＮＯ）、ジョブ制御部１３０７は、印刷ジョブを受信するまで待機する。
【０１５４】
Ｓ２００２にて、ジョブ制御部１３０７は、受信した印刷ジョブのジョブ設定情報を解析し、ページ単位のクリース設定が施されているか否かを判定する。具体的には、ジョブ制御部１３０７は、図１４にて示したページ単位のクリース設定１９０３に設定が存在するか否かで判定する。ジョブ制御部１３０７は、ページ単位のクリース設定が設定されている場合（Ｓ２００２にてＹＥＳ）、Ｓ２００６に進み、そうでない場合（Ｓ２００２にてＮＯ）、Ｓ２００３に進む。Ｓ２００３〜Ｓ２００５は、図１７のＳ１７０３〜Ｓ１７０５と同様であるため、説明は省略する。
【０１５５】
Ｓ２００６にて、ジョブ制御部１３０７は、受信した印刷ジョブのジョブ設定情報を解析し、片面印刷か両面印刷かを判定する。具体的には、ジョブ制御部１３０７は、図９（Ｃ）に示す排紙先設定１４２０と、図９（Ｂ）に示す印刷方法設定１４１４、印刷方法設定１４１６、及び印刷方法設定１４１８の設定に基づき判定する。ジョブ制御部１３０７は、片面印刷である場合（Ｓ２００６にてＹＥＳ）、Ｓ２００７に進み、両面印刷である場合（Ｓ２００６にてＮＯ）、Ｓ２００８に進む。ここでは、排紙先設定１４２０がスタックトレイ９１４であるため、印刷方法設定１４１８の設定を参照し、片面印刷であると判定されるものとする。
【０１５６】
Ｓ２００７にて、ジョブ制御部１３０７は、図９（Ａ）に示すメディア種類設定１４０８と、図１４に示すページ単位のクリース設定１９０３を参照する。まず、ジョブ制御部１３０７は、画像形成装置１０１の機器制御部１３０２に対して、メディア種類設定１４０８に設定されているメディア種類のメディアＩＤを問い合わせる。なお、第二の実施形態においては、メディア種類設定１４０８が「普通紙１」と設定されているため、図１１に示す管理テーブル１６００に基づき、メディアＩＤは「３」が取得される。さらに、ジョブ制御部１３０７は、ページ単位のクリース設定１９０３の設定から１ページ分の設定を読み出し、クリース回数、クリース位置、及びクリース用途を抽出する。その後、Ｓ２０１１へ進む。
【０１５７】
Ｓ２００８にて、ジョブ制御部１３０７は、図９（Ａ）に示すメディア種類設定１４０８と図１４に示すページ単位のクリース設定１９０３を参照する。まず、ジョブ制御部１３０７は、機器制御部１３０２に対して、メディア種類設定１４０８に設定されているメディア種類のメディアＩＤを問い合わせる。次に、ジョブ制御部１３０７は、ページ単位のクリース設定１９０３の設定から２ページ分の設定を読み出し、クリース回数、クリース位置、及びクリース用途を抽出する。その後、Ｓ２００９へ進む。
【０１５８】
Ｓ２００９にて、ジョブ制御部１３０７は、クリース設定が両面に施されているか否かを判定する。クリース設定が両面に施されている場合（Ｓ２００９にてＹＥＳ）、Ｓ２０１０に進み、両面に施されていない場合（Ｓ２００９にてＮＯ）、Ｓ２０１１に進む。
【０１５９】
Ｓ２０１０にて、ジョブ制御部１３０７は、裏面に施されたクリース設定を破棄して表面の設定だけを残す。その後、Ｓ２０１０へ進む。
【０１６０】
なお、第二の実施形態では、説明の簡略化の為に一方の面（ここでは、裏面）のクリース設定を破棄する処理としている。本処理の代わりに、表面と裏面のクリース設定を一方の面へのクリースとなるように統合するようにしても良い。その場合、表面と裏面のクリース位置の基準が論理ページ単位であることを考慮する必要がある。例えば、裏面のクリース位置を表面のクリース位置と統合する場合、メディアサイズ設定１４０９と綴じ方向設定１４１９を考慮して、メディアの搬送方向の長さから、裏面のクリース位置を引いた長さをクリース位置とするように制御する。また、メディアの種類によっては、両面それぞれクリースが設定されていたとしてもそのまま施して良い場合も考えられる。したがって、両面にクリースの設定がなされている場合に、メディアの種類に応じてクリースの除去もしくは統合を実施するか否かを判定してもよい。
【０１６１】
Ｓ２０１１にて、ジョブ制御部１３０７は、印刷するｎ番目のメディアに対する、クリース回数、クリース位置、クリース用途、及びメディアＩＤをＲＡＭ１００４に保持する。Ｓ２０１２にて、ジョブ制御部１３０７は、印刷データの全ページに対して、Ｓ２００６〜Ｓ２０１１の処理が完了したか否かをチェックする。ジョブ制御部１３０７は、全ページ完了した場合（Ｓ２０１２にてＹＥＳ）、Ｓ２０１３に進み、全ページ完了していない場合（Ｓ２０１２にてＮＯ）、Ｓ２００６に戻り、未処理のページに対して処理を繰り返す。
【０１６２】
Ｓ２０１３にて、ジョブ制御部１３０７は、ジョブ設定画面の「メディア」と「レイアウト」で設定されている項目に基づいて構成情報を生成する。このとき、ジョブ制御部１３０７は、画像形成装置１０１の機器制御部１３０２に対して、メディア種類設定１４０２やメディア種類設定１４０８に設定されているメディア種類のメディアＩＤを問い合わせ、取得したメディアＩＤを構成情報に含める。また、ジョブ制御部１３０７は、ジョブ設定画面の「仕上げ」と「クリース」で設定した項目に基づいてフィニッシング情報を生成する。このとき、ジョブ制御部１３０７は、Ｓ２０１１にて生成した、クリース位置とクリース用途の対応付け情報もフィニッシング情報に含める。
【０１６３】
Ｓ２０１４にて、ジョブ制御部１３０７は、画像形成装置１０１の機器制御部１３０２に対して、印刷開始要求を送信し、その要求と共に、Ｓ２０１３で生成した構成情報とフィニッシング情報を送信する。Ｓ２０１５にて、ジョブ制御部１３０７は、ＲＩＰ処理部１３０８に対し、印刷ジョブのＲＩＰした画像データを、画像形成装置１０１の機器制御部１３０２に送信するように指示を行う。そして、本処理フローを終了する。
【０１６４】
（画像形成装置における処理）
次に、図１６について説明する。処理が開始すると、Ｓ２１０１にて、機器制御部１３０２は、画像処理装置１０２のジョブ制御部１３０７から印刷開始要求を受信したか否かを判定する。印刷ジョブの印刷開始要求を受信した場合（Ｓ２１０１にてＹＥＳ）、Ｓ２１０２に進む。印刷開始要求を受信していない場合（Ｓ２１０１にてＮＯ）、機器制御部１３０２は、印刷開始要求を受信するまで待機する。
【０１６５】
Ｓ２１０２にて、機器制御部１３０２は、受信した印刷ジョブのフィニッシング情報を解析し、クリース処理が設定されているか否かを判定する。機器制御部１３０２は、クリース処理が設定されている場合（Ｓ２１０２にてＹＥＳ）、Ｓ２１０４に進み、クリース処理が設定されていない場合（Ｓ２１０２にてＮＯ）、Ｓ２１０３に進む。
【０１６６】
Ｓ２１０３にて、機器制御部１３０２は、受信した構成情報とフィニッシング情報に基づいて画像形成装置１０１での印刷処理を行う。印刷処理が完了すると、本処理フローを終了する。
【０１６７】
Ｓ２１０４にて、機器制御部１３０２は、受信した印刷ジョブのフィニッシング情報を解析し、各メディアに対するクリース回数、クリース位置、クリース用途、及びメディアＩＤを取得する。ここでは、１枚目のメディアに対して、用紙先端から２００ｍｍと２４０ｍｍの位置に「折り返し用クリース」が施され、２１０ｍｍと２３０ｍｍの位置に「背の角用クリース（折り目用クリース）」が施される設定が取得される。さらに、メディアＩＤは「３」が取得される。
【０１６８】
Ｓ２１０５にて、機器制御部１３０２は、ＨＤＤ１０１６に保存されている図１１に示すクリース圧の管理テーブル１６００から、Ｓ２１０４で取得したすべてのメディアＩＤに対する「折り返し用クリース圧」と「背の角用クリース圧」を取得する。ここでは、メディアＩＤが「３」であるため、折り返し用クリース圧として「１２０Ｋｇｆ」、角の背用クリース圧として「８０Ｋｇｆ」が取得される。
【０１６９】
Ｓ２１０６にて、機器制御部１３０２は、画像形成装置１０１のＣＰＵ回路部１００１を経由して、クリーサ装置２０５のＣＰＵ回路部１１０１に、メディアに対するクリース（筋付け）処理を指示する。このとき、機器制御部１３０２は、Ｓ２１０４にて取得した設定に基づいてクリースを行う指示を行う。ここでは、１枚目のメディアに対して、用紙先端から２００ｍｍと２４０ｍｍの位置に１２０Ｋｆｇの圧力でクリースを施す指示、及び２１０ｍｍと２３０ｍｍの位置に８０Ｋｇｆの圧力でクリースを施す指示を行う。
【０１７０】
Ｓ２１０７にて、機器制御部１３０２は、画像形成装置１０１のＣＰＵ回路部１００１を用いて、印刷を実行すると共に、１枚目のメディアに対するクリース処理を実施する。更に、機器制御部１３０２は、フィニッシャ装置２０８のスタックトレイ９１４への排紙を実施する。その後、本処理フローを終了する。
【０１７１】
以上により、一枚のメディアに対して、複数のクリース圧でクリース用途に応じたクリースを施すことが可能となる。本実施形態では、くるみ製本を構成する任意のメディアに対して、ページ単位のクリース設定に基づいて複数のクリース圧でクリース用途に応じたクリースを、オペレータが希望する任意のページに施すことができる。
【０１７２】
また、本実施形態では、製本時の表紙に対して折り返しクリースを適用しない例を示したが、適用する場合には、第一の実施形態と同様の処理を併せて実行するようにしてもよい。
【０１７３】
＜第三の実施形態＞
第三の実施形態では、画像形成装置１０１のクリーサ装置２０５が、１つの圧力装置しか備えていない場合の例である。第三の実施形態では、クリース用ダイ６０４を入れ替えることで、クリース圧を制御する例である。第三の実施形態では、複数種類のクリース用ダイが存在しており、それぞれのクリース用ダイは、ＩＤ（識別情報）が対応付けられており、クリーサ装置２０５は、クリース用ダイのＩＤを読み取ることが可能である。また、クリース用ダイは、ダイ内部に有しているバネにてメディアに対するクリース圧を制御する。本実施形態では、「クリース圧１００Ｋｇｆ」用のダイは、ダイＩＤとして「１」が対応付けられており、「クリース圧１４０Ｋｇｆ」用のダイは、ダイＩＤとして「２」が対応付けられているとする。
【０１７４】
また、本実施形態は、前提は第一の実施形態と同様であるため、重複する部分の説明は省略し、第三の実施形態固有の設定と処理について図１７〜１９を用いて説明を行う。
【０１７５】
図１７は、第三の実施形態のクリーサ装置２０５の断面図である。図４と比較すると、第一の実施形態では、圧力装置６０６〜６０８の３つの圧力装置が存在したのに対して、第三の実施形態では、圧力装置２２０６だけが存在する。その他の構成については、図４と同様であるため、ここでは説明を省略する。
【０１７６】
図１８は、画像形成装置１０１の操作パネル４２５に表示されるメッセージ画面である。図１８（Ａ）は、クリース用途に応じたクリース用ダイが、クリーサ装置２０５に装着されていない場合に、表示されるメッセージである。メッセージ２３０１の例では、角の背用のクリース用ダイ（ＩＤ＝１）が装着されていない旨のメッセージが表示されている。確認ボタン２３０２は、オペレータが、メッセージ２３０１を確認した後に押下するボタンである。オペレータが、確認ボタン２３０２を押下すると、図１８（Ａ）のメッセージは非表示となる。
【０１７７】
図１８（Ｂ）は、メディアをインサータ装置２０４に給紙し、さらに、クリーサ装置２０５に装着されているダイの変更を促すメッセージである。メッセージ２３０３の例では、折り返し用のクリース用ダイ（ＩＤ＝２）に変更する旨のメッセージが表示されている。確認ボタン２３０４は、オペレータが、メッセージ２３０３を確認した後に押下するボタンである。オペレータが、確認ボタン２３０４を押下すると、図１８（Ｂ）のメッセージは非表示となる。なお、図１８に示す画面は、画像形成装置１０１のＵＩ処理部１３０１により表示及び非表示が制御される。
【０１７８】
［処理フロー］
図１９は、画像形成装置１０１の機器制御部１３０２にて実施される処理のフローチャートである。本処理に係るプログラムは、画像形成装置１０１のＲＯＭ１００３に格納されており、ＣＰＵ１００２にて読み出されて実行される。情報処理装置１０３と画像処理装置１０２の処理は、第一の実施形態と同様であるので、説明は省略する。Ｓ２４０１〜Ｓ２４０６は、第一の実施形態にて述べた図１３のＳ１８０１〜Ｓ１８０６と同様であるため、ここでは、説明を省略する。
【０１７９】
Ｓ２４０７にて、機器制御部１３０２は、画像形成装置１０１のＣＰＵ回路部１００１を介して、クリーサ装置２０５のＣＰＵ回路部１１０１に、装着されているクリース用ダイのＩＤを取得するように指示する。指示を受けたＣＰＵ回路部１１０１は、ダイ検知部１１０５により装着されているクリース用ダイのＩＤを取得し、ＣＰＵ回路部１００１を介して機器制御部１３０２に返す。
【０１８０】
Ｓ２４０８にて、機器制御部１３０２は、背の角用クリース用のダイが装着されているか否かをチェックする。具体的には、メディアＩＤが「１」の場合に目的とする背の角用クリース圧は「１００Ｋｇｆ」である。したがって、クリース用ダイのＩＤが「１」であれば（Ｓ２４０８にてＹＥＳ）、適切なクリース用ダイが装着されているものとしてＳ２４１１に進み、１以外であれば（Ｓ２４０８にてＮＯ）、Ｓ２４０９に進む。
【０１８１】
Ｓ２４０９にて、機器制御部１３０２は、ＵＩ処理部１３０１に対して、図１８（Ａ）のメッセージを表示するように指示する。Ｓ２４１０にて、機器制御部１３０２は、オペレータが、クリーサ装置２０５に「背の角用クリース（折り目用クリース）」用のダイを装着するまで待機する。具体的には、クリース用ダイのＩＤが「１」になるまで待機する。クリース用のダイＩＤが「１」になった場合（Ｓ２４１０にてＹＥＳ）、機器制御部１３０２は、クリース用ダイが目的のものに入れ替えられたとしてＳ２４１１に進み、そうでない場合は（Ｓ２４１０にてＮＯ）、入れ替えられるまで待機する。
【０１８２】
Ｓ２４１１にて、機器制御部１３０２は、くるみ製本の表紙の印刷を実行し、さらに、背の角用クリース（折り目用クリース）」を実行した後、フィニッシャ装置２０８のサンプルトレイ９１１に排紙する。Ｓ２４１２にて、機器制御部１３０２は、ＵＩ処理部１３０１に対して、図１８（Ｂ）のメッセージを表示するように指示する。
【０１８３】
Ｓ２４１３にて、機器制御部１３０２は、インサータ装置２０４のインサータトレイ５０３にメディアが給紙されたか否かをチェックする。具体的には、機器制御部１３０２は、画像形成装置１０１のＣＰＵ回路部１００１を介して、給紙装置制御部１０１０から、用紙検知センサ５０４による検知状態を取得し、メディアが給紙されたか否かをチェックする。メディアが給紙された場合（Ｓ２４１３にてＹＥＳ）、機器制御部１３０２は、Ｓ２４１４に進み、そうでない場合は（Ｓ２４１３にてＮＯ）、給紙されるまで待機する。
【０１８４】
Ｓ２４１４にて、機器制御部１３０２は、オペレータが、クリーサ装置２０５に「折り返し用クリース」用のダイを装着するまで待機する。具体的には、メディアＩＤが「１」の場合に目的とする折り返し用クリース圧は「１４０Ｋｇｆ」である。したがって、クリース用ダイのＩＤが「２」になるまで待機する。クリース用のダイＩＤが「２」になった場合（Ｓ２４１４にてＹＥＳ）、機器制御部１３０２は、クリース用ダイが目的のものに入れ替えられたとしてＳ２４１５に進み、そうでない場合は（Ｓ２４１４にてＮＯ）、入れ替えられるまで待機する。
【０１８５】
Ｓ２４１５にて、機器制御部１３０２は、インサータトレイ５０３からメディアを給紙し、折り返し用のクリースを施し、くるみ製本機２０７の搬送パス８０６に送り込む。Ｓ２４１６にて、機器制御部１３０２は、くるみ製本の本文の印刷データの印刷を開始する。そして、機器制御部１３０２は、印刷したメディアをくるみ製本機２０７のメディアスタックユニット８１０に送り込む。Ｓ２４１７にて、機器制御部１３０２は、画像形成装置１０１のＣＰＵ回路部１００１を介して、くるみ製本制御部１０１３にくるみ製本を形成するように指示する。そして、本処理フローを終了する。
【０１８６】
以上により、クリーサ装置２０５を２回通すことにより、一枚のメディアに対して、複数のクリース圧でクリース用途に応じたクリースを施すことが可能となる。
【０１８７】
なお、第三の実施形態は、第一の実施形態をベースとして説明を行ったが、第二の実施形態に基づいて処理を実行しても構わない。また、第三の実施形態では、背の角用クリースを施した後、折り返し用クリースを実施したが、クリースを施す順番は逆であっても良い。
【０１８８】
＜第四の実施形態＞
第四の実施形態は、第三の実施形態のクリーサ装置を２台接続した場合の例である。第四の実施形態では、２台のクリーサ装置がそれぞれ、「背の角用クリース（折り目用クリース）」用のクリース用ダイと「折り返し用クリース」用のクリース用ダイを装着している場合の例である。第四の実施形態では、第三の実施形態と同様に、複数のクリース用ダイが存在しており、それぞれのクリース用ダイはＩＤ（識別情報）が割り当てられており、クリーサ装置は、クリース用ダイのＩＤを読み取ることが可能である。また、クリース用ダイは、ダイ内部に有しているバネにてメディアに対するクリース圧を制御する仕組みとなっている。
【０１８９】
本実施形態では、第三の実施形態と同様に、「クリース圧１００Ｋｇｆ」用のダイは、ダイＩＤとして「１」を対応付けられており、「クリース圧１４０Ｋｇｆ」用のダイは、ダイＩＤとして「２」を対応付けられているものとする。また、本実施形態の前提は第一の実施形態と同様であるものとし、重複する箇所については説明を省略し、第四の実施形態固有の設定と処理について図２０〜２２を用いて説明を行う。
【０１９０】
図２０は、第四の実施形態のクリーサ装置２０５の断面図である。図４と比較すると、第三の実施形態で説明した図１７のクリーサ装置が２台連結されている構成である。圧力装置２５０６と圧力装置２５１５は、ＣＰＵ回路部１００１が、それぞれのクリーサ制御部１０１１を制御することで操作可能である。本実施形態では、圧力装置２５０６を制御するクリーサ装置のＣＰＵ回路部を１１０１Ａとし、圧力装置２５１５を制御するクリーサ装置のＣＰＵ回路部を１１０１Ｂとして説明する。そして、図７（Ａ）のクリーサ制御部１０１１の代わりに、クリーサ制御部１０１１Ａとクリーサ制御部１０１１Ｂが接続されているものとする。また、その他の構成については、第三の実施形態の図１７と同様であるため、説明を省略する。以降、説明の簡素化として、圧力装置２５０６のクリーサ装置をクリーサＡ、圧力装置２５１５をクリーサ装置Ｂとして説明を行う。
【０１９１】
図２１は、画像形成装置１０１の操作パネル４２５に表示されるメッセージ画面である。図２１は、クリース用途に応じたクリース用ダイが、クリーサ装置２０５に装着されていない場合に、表示されるメッセージである。メッセージ２６０１の例では、角の背用のクリース用ダイ（ＩＤ＝１）と折り返し用のクリース用ダイ（ＩＤ＝２）が、装着されていない旨のメッセージが表示されている。確認ボタン２６０２は、オペレータが、メッセージ２３０１を確認した後に押下するボタンである。オペレータが、確認ボタン２６０２を押下すると、図２１のメッセージは非表示となる。図２１のメッセージ画面は、画像形成装置１０１のＵＩ処理部１３０１により表示及び非表示が制御される。
【０１９２】
［処理フロー］
図２２は、画像形成装置１０１の機器制御部１３０２にて実施される処理のフローチャートである。本処理に係るプログラムは、画像形成装置１０１のＲＯＭ１００３に格納されており、ＣＰＵ１００２にて読み出されて実行される。情報処理装置１０３と画像処理装置１０２の処理は、第一の実施形態と同様であるので、説明は省略する。Ｓ２７０１〜Ｓ２７０６は、第一の実施形態にて述べた図１３のＳ１８０１〜Ｓ１８０６と同様であるため、説明は省略する。
【０１９３】
Ｓ２７０７にて、機器制御部１３０２は、画像形成装置１０１のＣＰＵ回路部１００１を介して、クリーサ装置２０５に装着されているクリース用ダイのＩＤを取得するように指示する。具体的には、ＣＰＵ回路部１００１は、ＣＰＵ回路部１１０１ＡとＣＰＵ回路部１１０１Ｂのダイ検知部にて装着されているクリース用ダイのＩＤの取得を指示する。指示を受けたＣＰＵ回路部１１０１ＡとＣＰＵ回路部１１０１Ｂのそれぞれのダイ検知部は、取得したダイＩＤをＣＰＵ回路部１００１を介して機器制御部１３０２へ返す。
【０１９４】
Ｓ２７０８にて、機器制御部１３０２は、クリーサＡに背の角用クリース用のダイが装着され、かつ、クリーサＢに折り返し用のダイが装着されているか否かをチェックする。メディアＩＤが「１」の場合の目的とする背の角用クリース圧は「１００Ｋｇｆ」であり、折り返し用のクリース圧は「１４０Ｋｇｆ」である。そのため、具体的には、クリーサＡのクリース用ダイのＩＤが「１」であり、かつ、クリーサＢのクリース用ダイのＩＤが「２」であれば（Ｓ２７０８にてＹＥＳ）、Ｓ２７１１に進み、そうでなければ（Ｓ２７０８にてＮＯ）、Ｓ２７０９に進む。
【０１９５】
Ｓ２７０９にて、機器制御部１３０２は、ＵＩ処理部１３０１に対して、図２１のメッセージを表示するように指示する。Ｓ２７１０にて、機器制御部１３０２は、オペレータが、クリーサＡとクリーサＢに、図２１で指定したクリース用ダイを装着するまで待機する。クリーサＡとクリーサＢに指定したクリース用ダイが装着された場合（Ｓ２７１０にてＹＥＳ）、機器制御部１３０２は、Ｓ２７１１に進み、そうでない場合は（Ｓ２７１０にてＮＯ）、装着されるまで待機する。Ｓ２７１１とＳ２７１２の処理は、図１３のＳ１８０８とＳ１８０９と同様であるため、説明を省略する。
【０１９６】
以上により、一枚のメディアに対して、複数のクリース圧でクリース用途に応じたクリースを施すことが可能である。なお、第四の実施形態は、第一の実施形態をベースとして説明を行ったが、第二の実施形態に基づいて処理を実行しても構わない。また、第四の実施形態では、クリーサＡに背の角用のクリース用ダイ、クリーサＢに折り返し用のクリース用ダイを装着する例を示したが、逆でも良い。また、図２１のメッセージ表示とは逆にクリース用ダイを装着した場合でも、Ｓ２７１０の処理で、正しく装着されたと判定しても良い。
【０１９７】
また、上記に説明したシステムでは画像形成装置１０１と画像処理装置１０２をそれぞれ分けた構成として説明を行ったが、画像形成装置１０１が画像処理装置１０２を統合した形態としてもよい。
【０１９８】
また、上記の例では２種類のクリースを例にとって説明したが、３以上のクリースを適用するようにしても構わない。この場合には、３つのクリーサ装置を連結することが考えられる。
【０１９９】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０２００】
１０１…画像形成装置、１０２…画像処理装置、１０３…情報処理装置、１０４…ネットワーク、２０１、２０２…外部給紙装置、２０３…画像形成装置本体、２０４…インサータ装置、２０５…クリーサ装置、２０６…折り機、２０７…くるみ製本機、２０８…フィニッシャ装置、６０４…クリース用第、６０５…クリース刃、６０６、６０７、６０８…圧力装置
【図１】
2018127003.tif 000003
【図２】
2018127003.tif 000004
【図３】
2018127003.tif 000005
【図４】
2018127003.tif 000006
【図５】
2018127003.tif 000007
【図６】
2018127003.tif 000008
【図７】
2018127003.tif 000009
【図８】
2018127003.tif 000010
【図９】
2018127003.tif 000011
【図１０】
2018127003.tif 000012
【図１１】
2018127003.tif 000013
【図１２】
2018127003.tif 000014
【図１３】
2018127003.tif 000015
【図１４】
2018127003.tif 000016
【図１５】
2018127003.tif 000017
【図１６】
2018127003.tif 000018
【図１７】
2018127003.tif 000019
【図１８】
2018127003.tif 000020
【図１９】
2018127003.tif 000021
【図２０】
2018127003.tif 000022
【図２１】
2018127003.tif 000023
【図２２】
2018127003.tif 000024
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
印刷要求に基づいてシートに画像を印刷する印刷手段と、
後処理を行うためのダイが着脱可能であって、前記印刷手段から搬送されてきた前記シートに対して前記ダイを用いて前記後処理を行う後処理手段と、
前記後処理手段に装着されているダイの種類を識別する制御手段と、
を有し、
前記制御手段は、後処理の実行が指定された前記印刷要求が入力された場合で、且つ、前記印刷要求において指定された後処理を行うためのダイとは異なる種類のダイが前記後処理手段に装着されている場合は、前記印刷手段による印刷が開始される前に、該指定されたダイの前記後処理手段への装着を促すメッセージを表示部に表示させることを特徴とする画像形成装置。
【請求項２】
前記制御手段は、前記印刷要求において指定された後処理を行うためのダイが前記後処理手段に装着されている場合は、前記印刷要求に基づきシートに画像を印刷するよう前記印刷手段を制御することを特徴とする請求項１に記載の画像形成装置。
【請求項３】
前記後処理手段は、シートに筋付けを行う筋付け手段であることを特徴とする請求項１に記載の画像形成装置。
【請求項４】
前記後処理手段は、
前記ダイを受けるための土台と、
前記ダイに圧力を加えるための圧力装置と、
前記印刷手段から搬送されてきたシートの先端を検知するための検知センサと、
を有し、
前記検知センサでシートの先端が検知されると、前記圧力装置が前記ダイに対して圧力を加えることでシートに後処理が行われることを特徴とする請求項１に記載の画像形成装置。
【請求項５】
前記後処理手段は、用途が異なる複数のダイが着脱可能であることを特徴とする請求項１に記載の画像形成装置。
【請求項６】
前記表示部に前記メッセージが表示された後、前記印刷要求において指定されたダイが前記後処理手段に装着されたことに応じて、前記印刷要求に基づく印刷が開始されることを特徴とする請求項１に記載の画像形成装置。
【請求項７】
印刷要求に基づいてシートに画像を印刷する印刷手段と、
後処理を行うためのダイが着脱可能であって、前記印刷手段から搬送されてきた前記シートに対して前記ダイを用いて前記後処理を行う後処理手段と、
を有する画像形成装置の制御方法であって、
後処理の実行が指定された前記印刷要求が入力された場合で、且つ、前記印刷要求において指定された後処理を行うためのダイとは異なる種類のダイが前記後処理手段に装着されている場合は、前記印刷手段による印刷が開始される前に、該指定されたダイの前記後処理手段への装着を促すメッセージを表示部に表示させることを特徴とする画像形成装置の制御方法。
【請求項８】
印刷要求に基づいてシートに画像を印刷する印刷手段と、
後処理を行うためのダイが着脱可能であって、前記印刷手段から搬送されてきた前記シートに対して前記ダイを用いて前記後処理を行う後処理手段と、
に接続されたコンピュータに、
後処理の実行が指定された前記印刷要求が入力された場合で、且つ、前記印刷要求において指定された後処理を行うためのダイとは異なる種類のダイが前記後処理手段に装着されている場合は、前記印刷手段による印刷が開始される前に、該指定されたダイの前記後処理手段への装着を促すメッセージを表示部に表示させることを特徴とするプログラム。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、用途に応じた後処理をメディアに対して施すことを可能とすることを目的とする。
【手続補正６】
【補正対象書類名】明細書
【補正対象項目名】０００９
【補正方法】変更
【補正の内容】
【０００９】
上記課題を解決するために本発明は以下の構成を有する。すなわち、画像形成装置であって、印刷要求に基づいてシートに画像を印刷する印刷手段と、後処理を行うためのダイが着脱可能であって、前記印刷手段から搬送されてきた前記シートに対して前記ダイを用いて前記後処理を行う後処理手段と、前記後処理手段に装着されているダイの種類を識別する制御手段と、を有し、前記制御手段は、後処理の実行が指定された前記印刷要求が入力された場合で、且つ、前記印刷要求において指定された後処理を行うためのダイとは異なる種類のダイが前記後処理手段に装着されている場合は、前記印刷手段による印刷が開始される前に、該指定されたダイの前記後処理手段への装着を促すメッセージを表示部に表示させる。